(57)【要約】  商品が、例えば商品販売棚から取り出されることができる数および頻度を制限することによって商品の販売を向上する商品販売システム。商品販売システムは、  商品を支持するように構成されたベースと、ベースと係合するように構成されたハウジングを含んでいても良い。ハウジングは、上部壁と第１の側部壁と第２の側部壁と前方留置き壁を含んでいても良い。システムは更に、ベース上に可動に載置されたばね付勢されたプッシャーと、ばね付勢されたプッシャーに搭載され、ばね付勢されたプッシャーが前方に促される速度のレートを制御するように構成された、弱勢されたアッセンブリーを含んでいても良い。
2013533057.tif 000002
【特許請求の範囲】
【請求項１】
商品を支持するように構成されたベースと、
ベースと係合するように構成され、上部壁と前部壁と第１の側部壁と第２の側部壁を含み、前部壁が前部壁の下部に位置する開口部を含む、ハウジングと、
ベース上に可動に載置されたばね付勢されたプッシャーと、
商品が開口部を通してスライドするように、商品を前方留置き壁を越えて上方に持ち上げるように構成されたレバーと、
を含む商品販売システム。
【請求項２】
レバーは、商品が開口部を通してスライドすることを許容する傾斜表面を提供するように構成されている、請求項１のシステム。
【請求項３】
レバーの傾斜表面は、前方留置き壁の斜面と一致している、請求項２のシステム。
【請求項４】
留置き壁は、前部壁に隣接して配置され、上部壁に向けて伸長している、請求項１のシステム。
【請求項５】
留置き壁は、少なくともハウジング内に置かれた商品の第１の列と商品の第２の列へのアクセスを制限するための高さを有する、請求項１のシステム。
【請求項６】
前部壁が指孔を含む、請求項1のシステム。
【請求項７】
開口部は、商品のサイズに対応する長さおよび幅のサイズとなっている、請求項１のシステム。
【請求項８】
前部壁が彎曲している、請求項１のシステム。
【請求項９】
彎曲した前部壁は、商品情報をディスプレイするための場所を規定する、請求項８のシステム。
【請求項１０】
ベースが更にトラックを含む、請求項1のシステム。
【請求項１１】
プッシャーがトラックと係合するように適応されている、請求項１０のシステム。
【請求項１２】
前部壁は、商品が前部壁を通して視認されることを許容する、透き通ったかまたは透明な材料で作られている、請求項１のシステム。
【請求項１３】
商品を支持するように構成されたベースと、
ベースと係合するように構成され、上部壁と前部壁と第１の側部壁と第２の側部壁を含み、前部壁が開口部を含む、ハウジングと、
前部壁に隣接して配置され、上部壁に向けて伸長している少なくとも１つの留置き壁であって、少なくとも１つの留置き壁は、少なくともハウジング内に置かれた商品の第１の列と商品の第２の列へのアクセスを制限するための高さを有するものと、
ベース上に可動に載置されたばね付勢されたプッシャーと、
商品を少なくとも１つの留置き壁を越えて上方に持ち上げるように構成されたレバーであって、商品が開口部を通してスライドするものと、
を含む商品管理および安全確保システム。
【請求項１４】
レバーは、商品が少なくとも１つの留置き壁を越えて上方に持ち上げられた時に、商品が開口部を通してスライドすることを許容する傾斜表面を提供するように構成されている、請求項１３のシステム。
【請求項１５】
レバーの傾斜表面は、前方留置き壁の斜面と一致している、請求項１４のシステム。
【請求項１６】
前部壁が指孔を含む、請求項1３のシステム。
【請求項１７】
前部壁が彎曲しており、商品情報をディスプレイするための場所を規定する、請求項１３のシステム。
【請求項１８】
ベースが更にトラックを含む、請求項1３のシステム。
【請求項１９】
プッシャーがトラックと係合するように適応されている、請求項１８のシステム。
【請求項２０】
前部壁は、商品が前部壁を通して視認されることを許容する、透き通ったかまたは透明な材料で作られている、請求項１３のシステム。
【発明の詳細な説明】
【技術分野】
【０００１】
[関連出願へのクロスリファレンス]この国際出願は、２０１１年７月２９日に出願された米国特許出願番号13/194,642に関連し、２０１０年７月３０日に出願された仮特許出願61/369,433の優先権を主張し、それは２００９年７月１日に出願された米国出願シリアル番号12/496,389の一部継続であり、それは現在は米国特許番号7,621,409である２００７年９月２０日に出願された米国出願シリアル番号11/858,545の一部継続であり、それは現在は米国特許番号7,451,881である２００７年３月１３日に出願された米国出願シリアル番号11/685,530の一部継続であり、それは２００６年３月１３日に出願された米国仮出願番号60/782,000の恩恵を主張し、それは現在は米国特許番号7,299,934である２００６年１２月１８日に出願された米国出願シリアル番号11/612,210の一部継続であり、それは現在は米国特許番号7,150,365である２００５年５月２７日に出願された米国出願シリアル番号11/140,023の継続であり、それは現在は米国特許番号7,661,545である２００５年２月１日に出願された米国出願シリアル番号11/047,915の一部継続であり、それは２００４年２月３日に出願された米国仮出願番号60/541,804の恩恵を主張する。この出願はまた２００８年７月２日に出願された米国仮出願61/133,769と２００８年８月８日に出願された米国仮出願61/087,407の恩恵を主張する。これら全ての出願は、それらの全体が引用によって組み込まれる。
【０００２】
本発明は、全体的に商品の販売において使用されるための棚アッセンブリーに関し、より特定には販売される商品の安全確保と管理を向上する棚アッセンブリーに関する。
【背景技術】
【０００３】
薬局、雑貨店、ディスカウントストア、玩具店等の小売りおよび卸売り店は、商品を収納するためと商品を消費者にディスプレイするための両方のために大量の棚を使用することを要求されることが知られている、店の販売を促進して向上するために商品を消費者にディスプレイする際に、それらの店は、商品が視認可能であり消費者にとって容易にアクセス可能であるように、商品を棚の前方に向けて陳列または配置する。この望ましい配置は、いくつかの欠点を有する。例えば、この望ましい商品の「前方並べ」では、比較的小さな商品や高価なパッケージが盗難の標的となりうることを店は見つけている。或る種の製薬商品の場合のように、或る種のアイテムは、アイテムを再販するかまたはその他の不正目的でそれらを使用することができる潜在的盗人にとって高い価値を表すことができる。この盗人は増加しており、盗人が一度にまたは出来るだけ短い時間の間に多くの商品を盗むことを好むために今や小売り業者にとって相当なコストとなっている。これをするために、例えば、盗人は、彼らの腕で棚を「一掃」し、アイテムを財布、袋またはコートの中に非常に素早くかき集め、注意を引くことなく店から出て行く。
【０００４】
盗難は、顧客と従業員の行為の両方の結果でありえて、排除することが困難であった。盗難を妨げて防止する試みは、部分的に効果的であるだけであることが実証されている。例えば、店内カメラはしばしば、盗人を捕らえるかまたは検挙するのに十分なほどはっきりとは盗人を観察していない。加えて、店内警備員は、行為中の盗人を正確に観察するための正しい位置にいることが稀である。結果として、盗難は顕著な問題であり商品在庫の管理におけるコストであり続ける。
【０００５】
本発明は、既存の棚システムがもつこれらおよびその他の既知の欠点および問題点を克服することに向けられている。
【発明の概要】
【０００６】
本発明は、小売りの設定における商品の安全確保と管理に対処することによって上述した問題点を克服する。
【０００７】
本発明の一実施形態では、商品販売システムは、商品を支持するように構成されたベースと、ベースと係合するように構成されたハウジングと、ベース上に可動に載置されたばね付勢されたプッシャーと、レバーからなる。ハウジングは更に、上部壁と前部壁と第１の側部壁と第２の側部壁からなっていても良い。前部壁は、前部壁の下部に位置する開口部を含んでいても良い。レバーは、商品が開口部を通してスライドするように、商品を前方留置き壁を越えて上方に持ち上げるように構成されていても良い。
【０００８】
本発明の別の実施形態では、商品管理および安全確保システムは、商品を支持するように構成されたベースと、ベースと係合するように構成されたハウジングと、前部壁に隣接して配置され、上部壁に向けて伸長している少なくとも１つの留置き壁と、ベース上に可動に載置されたばね付勢されたプッシャーと、レバーからなっていても良い。ハウジングは、上部壁と前部壁と第１の側部壁と第２の側部壁からなっていても良い。前部壁が開口部を含んでいても良い。少なくとも1つの留置き壁は、少なくともハウジング内に置かれた商品の第１の列と商品の第２の列へのアクセスを制限するための高さを有していても良い。レバーは、商品を少なくとも１つの留置き壁を越えて上方に持ち上げるように構成されていても良く、商品が開口部を通してスライドする。
【０００９】
発明のその他の特徴および利点は、同様の特徴を指し示すのに同様の番号が使われる以下の詳細な記載、請求項および図面を精査することで当業者には明らかとなるであろう。
【図面の簡単な説明】
【００１０】
【図１】図１は、本発明の商品安全確保および管理システムの例示的実施形態の前面図を描く。
【図２】図２は、図１の例示的安全確保および管理システムの部分的側面図を描く。
【図３】図３は、本発明と共に使われ得る引き出し棚の例示的実施形態の底面図を描く。
【図４】図４は、引き出し棚を組み込んだ発明の商品安全確保および管理システムの例示的実施形態の前面図を描く。
【図５】図５は、商品デバイダーと棚上への商品の再ストックを描いた例示的引き出し棚の側面図を描く。
【図６】図６は、例示的プッシャー機構に加えて、棚への前方留置き壁と二次的留置き壁の例示的載置の側面図を描く。
【図７】図７は、前方留置き壁と二次的留置き壁の例示的実施形態の前面図を描く。
【図８】図８は、棚上にディスプレイされた商品をもった前方留置き壁と二次的留置き壁の例示的実施形態の前面図を描く。
【図９】図９は、図１の例示的安全確保および管理システムに載置された例示的警報デバイスの底面図を描く。
【図１０】図１０は、本発明と共に使われ得る例示的ロック機構を描く。
【図１１】図１１は、本発明と共に使われ得る可動バリアーおよびバリアー拡張の例示的実施形態を描く。
【図１２】図１２は、図１１の可動バリアーおよびバリアー拡張の近接図を描く。
【図１３】図１３は、図１１の可動バリアーおよびバリアー拡張と共に使われ得る例示的ハンドルの近接図を描く。
【図１４】図１４は、図１０のロック機構を受ける開口部および載置構造を規定する、図１１の可動バリアーおよびバリアー拡張の近接図を描く。
【図１５】図１５は、防犯カメラの使用を含んだ図１の例示的安全確保および管理システムの部分的前面図を描く。
【図１６】図１６は、ビデオモニターの使用を含んだ図１の例示的安全確保および管理システムの部分的前面図を描く。
【図１７】図１７は、図１６のモニター上でのカメラ画像とビデオプレーヤーからの画像の間の例示的切り替え動作の図を描く。
【図１８】図１８は、本発明と共に使われ得る別の例示的ロック機構を描く。
【図１９】図１９は、図１８の例示的ロック機構の別の図を描く。
【図２０】図２０は、図１８の例示的ロック機構の背面図を描く。
【図２１】図２１は、本発明と共に使われ得る更に別の例示的ロック機構を描く。
【図２２】図２２は、図２１の例示的ロック機構の別の図を描く。
【図２３】図２３は、図２１の例示的ロック機構のロックプレートの近接図を描く。
【図２４】図２４は、図２３のロックプレートの別の図を描く。
【図２５】図２５は、側部壁の棚への更なるしっかりした取り付けのために使われ得るクリップの使用を含んだ例示的実施形態を描く。
【図２６】図２６は、図２５のクリップの斜視図を描く。
【図２７】図２７は、図２５の載置されたクリップの近接図を描く。
【図２８】図２８は、発明と共に使われ得る例示的電気パワーバーを描く。
【図２９】図２９は、図２８のパワーバーの別の図を描く。
【図３０】図３０は、棚または棚の一部上の商品のための更なる安全を提供するために使われ得る側部壁を含んだ例示的実施形態を描く。
【図３１】図３１は、図３０の壁の別の図を描く。
【図３２】図３２は、側部壁の棚への更なるしっかりした取り付けのために使われ得るクリップの斜視図を描く。
【図３３】図３３は、図３２のクリップの別の図を描く。
【図３４】図３４は、本発明の１つ以上の側面に従ったボックス棚の実施形態の斜視図を描く。
【図３５】図３５は、本発明の１つ以上の側面に従ったスライド可能な棚を第２の位置にもったボックス棚の実施形態の断面図を描く。
【図３６】図３６は、本発明の１つ以上の側面に従ったスライド可能な棚を第１の位置にもったボックス棚の実施形態の断面図を描く。
【図３７ａ】図３７ａは、本発明の１つ以上の側面に従ったブロッキングリップと係合している蝶番プレートの実施形態の断面を描く。
【図３７ｂ】図３７ｂは、本発明の１つ以上の側面に従ったブロッキングリップと係合している蝶番プレートの実施形態の断面を描く。
【図３８】図３８は、本発明の１つ以上の側面に従った、お互いの上に積み上げられた２つのボックス棚の実施形態を描く。
【図３９】図３９は、本発明の１つ以上の側面に従ったボックス棚の実施形態の部分的分解図を描く。
【図４０】図４０は、本発明の１つ以上の側面に従ったハウジングの実施形態の様々な図を描く。
【図４１】図４１は、本発明の１つ以上の側面に従ったハウジングとドアの実施形態の断面図を描く。
【図４２】図４２は、本発明の１つ以上の側面に従った、追加の詳細を提供するために様々な特徴が省略されたボックス棚の実施形態の図を描く。
【図４３】図４３は、本発明の１つ以上の側面に従った、追加の詳細を提供するために様々な特徴が省略されたボックス棚の実施形態の図を描く。
【図４４】図４４は、本発明の１つ以上の側面に従った、追加の詳細を提供するために様々な特徴が省略されたボックス棚の実施形態の図を描く。
【図４５】図４５は、本発明の１つ以上の側面に従った、追加の詳細を提供するために様々な特徴が省略されたボックス棚の実施形態の図を描く。
【図４６】図４６は、本発明の１つ以上の側面に従ったデバイダーをもったスライド可能な棚の断面を描く。
【図４７】図４７は、本発明の１つ以上の側面に従ったスライド可能な棚の部分的分解図を描く。
【図４８】図４８は、本発明の１つ以上の側面に従ったスライド可能な棚のサポート表面の実施形態の様々な図を描く。
【図４９】図４９は、本発明の１つ以上の側面に従ったスライド可能な棚のサポート表面の実施形態の一部の断面を描く。
【図５０】図５０は、本発明の１つ以上の側面に従ったスライド可能な棚のサポート表面の実施形態の一部の断面を描く。
【図５１】図５１は、本発明の１つ以上の側面に従ったスライド可能な棚の一部の実施形態を描く。
【図５２】図５２は、本発明の１つ以上の側面に従った蝶番プレートおよび構築物の実施形態の部分的分解斜視図を描く。
【図５３】図５３は、本発明の１つ以上の側面に従った蝶番プレートの実施形態の多数の図を描く。
【図５４】図５４は、本発明の１つ以上の側面に従った、図５３の蝶番プレートと結合するように構成された蝶番ベースの実施形態の多数の図を描く。
【図５５】図５５は、本発明の１つ以上の側面に従った棚サポートの実施形態の多数の図を描く。
【図５６ａ】図５６ａは、本発明の１つ以上の側面に従った、垂直レールと係合するように構成された棚サポートの部分の断面を描く。
【図５６ｂ】図５６ｂは、本発明の１つ以上の側面に従った、垂直レールと係合するように構成された棚サポートの部分の断面を描く。
【図５７】図５７は、本発明の１つ以上の側面に従ったレールの実施形態の断面を描く。
【図５８ａ】図５８ａは、本発明の１つ以上の側面に従ったボックス棚のハウジングの実施形態の様々な図を描く。
【図５８ｂ】図５８ｂは、本発明の１つ以上の側面に従ったボックス棚のハウジングの実施形態の様々な図を描く。
【図５８ｃ】図５８ｃは、本発明の１つ以上の側面に従ったボックス棚のハウジングの実施形態の様々な図を描く。
【図５８ｄ】図５８ｄは、本発明の１つ以上の側面に従ったボックス棚のハウジングの実施形態の様々な図を描く。
【図５８ｅ】図５８ｅは、本発明の１つ以上の側面に従ったボックス棚のハウジングの実施形態の様々な図を描く。
【図５８ｆ】図５８ｆは、本発明の１つ以上の側面に従ったボックス棚のハウジングの実施形態の様々な図を描く。
【図５９ａ】図５９ａは、本発明の１つ以上の側面に従ったスライド可能な棚の実施形態の様々な図を描く。
【図５９ｂ】図５９ｂは、本発明の１つ以上の側面に従ったスライド可能な棚の実施形態の様々な図を描く。
【図５９ｃ】図５９ｃは、本発明の１つ以上の側面に従ったスライド可能な棚の実施形態の様々な図を描く。
【図５９ｄ】図５９ｄは、本発明の１つ以上の側面に従ったスライド可能な棚の実施形態の様々な図を描く。
【図６０】図６０は、例示的低プロファイルの棚サポートの側面図である。
【図６１】図６１は、図６０の低プロファイルの棚サポートを組み込んだ棚システムの分解斜視図である。
【図６２】図６２は、図６０の低プロファイルの棚サポートを組み込んだ棚システムの別の分解斜視図である。
【図６３】図６３は、図６０の低プロファイルの棚サポートと警報デバイスと可動バリアーを組み込んだ棚システムの側面図である。
【図６４】図６４は、警報デバイスとも接触しているリンケージに接触している可動バリアーを更に描いた、図６３の棚システムの部分的拡大図である。
【図６５】図６５は、可動バリアーとも接触しているリンケージに接触している警報デバイスを更に描いた、図６３の棚システムの部分的拡大図である。
【図６６】図６６は、棚に載置されたボックス棚をもった図６１の棚システムの斜視図である。
【図６７】図６７は、図６６のボックス棚の分解斜視図である。
【図６８】図６８は、図６６の棚システムの側面図である。
【図６９】図６９は、図６８の棚システムの部分拡大図である。
【図７０】図７０は、棚に載置された標識をもった図６１の棚システムの斜視図である。
【図７１】図７１は、図７０の棚システムの側面図である。
【図７２】図７２は、複数の低プロファイルの棚サポートと最適な載置ブラケットをもった図６１の棚システムの分解斜視図である。
【図７３】図７３は、図７２の棚システムの斜視図である。
【図７４】図７４は、棚または棚の一部上の商品のための更なる安全を提供するために使われ得る調節可能な壁の斜視図である。
【図７５】図７５は、図７４の調節可能な壁の側面図である。
【図７６】図７６は、図７４の調節可能な壁の端面図である。
【図７７】図７７は、図７４の調節可能な壁の斜視図である。
【図７８】図７８は、図７４の調節可能な壁の別の側面図である。
【図７９】図７９は、例示的商品販売システムの斜視図である。
【図８０】図８０は、図７９の商品販売システムの別の斜視図である。
【図８１】図８１は、図７９の商品販売システムの前面図である。
【図８２】図８２は、図７９の商品販売システムの側面図である。
【図８３】図８３は、図７９の商品販売システムの部分的側面図である。
【図８４】図８４は、図７９の商品販売システムの上面図である。
【図８５】図８５は、図７９の商品販売システムの別の前面図である。
【図８６】図８６は、商品販売システムから取り出されている商品を描いた、図７９の商品販売システムの別の前面図である。
【図８７】図８７は、商品販売システムの前方端に向けて動かされている商品を描いた、図７９の商品販売システムの別の斜視図である。
【図８８】図８８は、例示的商品販売システムの底面図である。
【図８９】図８９は、図８８の商品販売システムの部分的底面図である。
【図９０】図９０は、例示的商品販売システムの側面図である。
【図９１】図９１は、商品販売システムから取り出されている商品を描いた、図９０の商品販売システムの別の側面図である。
【図９２】図９２は、別の例示的商品販売システムの斜視図である。
【図９３】図９３は、商品無しのシステムを描いた、図９２の商品販売システムの斜視図である。
【図９４Ａ】図９４Ａは、商品販売システムの動作を描いた、図９２の商品販売システムの側面図である。
【図９４Ｂ】図９４Ｂは、商品販売システムの動作を描いた、図９２の商品販売システムの側面図である。
【図９４Ｃ】図９４Ｃは、商品販売システムの動作を描いた、図９２の商品販売システムの側面図である。
【図９５】図９５は、一緒に接続されて棚および管理ディスプレイシステムを形成する、図９２に描かれた通りの複数の例示的商品販売システムの斜視図である。
【発明を実施するための形態】
【００１１】
発明の実施形態を詳細に説明する前に、発明は、以下の記載で説明されるかまたは図面に描かれた構築物の詳細やコンポーネンツの配置へのその応用に限定されないことが理解されるべきである。発明は、その他の実施形態や様々なやり方で実施または実行されることが可能である。また、ここで使われるフレーズおよび用語は、記載の目的のためのものであり、限定的に見なされるべきではないことが理解されるべきである。むしろ、ここで使われるフレーズおよび用語は、それらの最も広い解釈と意味を与えられるべきである。「含んだ」と「からなる」およびその変形の使用は、その後に列挙されたアイテムおよびその等価物と追加のアイテムおよびその等価物を包含することが意図されている。「載置された」、「接続された」、「結合された」、「配置された」、「係合された」という用語および同様の用語の使用は、直接的および間接的に載置すること、接続すること、結合すること、配置すること、係合することの両方を含むことが意図されている。
【００１２】
本発明は、小売りの設定のような設定における商品の安全確保、管理および流通に関し、数々の実施形態を含む。一実施形態は、小売店で典型的に見つけられる標準的または既存の「ディーラー」棚上か、または商品の安全確保をし盗難を妨げることに或る利点をもつように設計された棚上に在駐する棚管理およびディスプレイシステムが関与する。実施形態は、事前に存在する棚システムの直立部を含んでも良く、独立ユニットであっても良い。ディスプレイシステムは、前方並べシステムを含み、それは商品を棚の前方に強制する。そのようなシステムは、商品を通路に近い棚の前方に持ってくるために重力、摩擦、磁気またはばね付勢されたプッシャーまたはパドルのような、様々な方法を使用しても良い。棚の前方に向けて商品を向き付けするばね付勢されたシステムの多くの例が存在し、Hardyへの米国特許番号6,041,720、Breslowへの米国特許番号 4,830,201、Hardyへの国際出願番号 PCT/US02/15760および対応する国際公開番号ＷＯ02/091885A1に記載されたシステムを含み、それらはここに引用によって組み込まれる。
【００１３】
図１および２を参照すると、本発明の一実施形態では、棚管理およびディスプレイシステム１００は、垂直直立部１０２と、直立部に取り外し可能に載置された商品棚１０４を含む。棚１０４は、棚１０４の望ましい配置および間隔に応じて直立部１０２に沿った様々な位置に載置され得る。同様に、棚１０４は、必要に応じて直立部１０２に沿った異なる位置に移動または再配置され得る。図４および５に示されるように、棚１０４は、抽斗のように直立部１０２から引き離される引き出し棚であっても良い。図３に描かれているように、棚１０４は、ロック位置においてお互いと接触し、アンロック位置においてこの接触を実質的に解放する協働するキャッチであって、解放された時に棚１０４が直立部から引き出され離されることを許容するものを含むロックデバイス１１７を組み込んでも良い。棚または直立部は、磁石、ラッチ、ノッチ、バインダー、テンション等のようなその他のロックデバイスを含んでいても良い。一旦引き離されると、店員は棚に商品を再ストックすることができ、それから棚１０４をその元の位置までスライドして戻して棚を再ロックすることができる。
【００１４】
背面壁１０６が、商品を保持することを補助し、ディスプレイシステム１００の背後から商品にアクセスすることを防止するために既知の載置技術を通して直立部１０２に載置されても良い。ロックボックス１０８が、これも既知の載置技術を通して直立部１０２に載置されても良い。ロックボックス１０８は、追加の商品および店員による素早い取り出しのための棚載せコンポーネンツを収納してロックするために使われても良い。ロックボックス１０８は、描かれたディスプレイシステム１００の頂部にかまたはその近くへの配置を含んだ、直立部１０２上のあらゆる位置に配置されても良い。代替的な実施形態では、ロックボックス１０８は、直立部１０２ではなく棚１０４にしっかり取り付けられても良い。どちらの載置位置でも、追加の商品および棚載せコンポーネンツはディスプレイシステム１００に位置しており、従って店員によって容易に取り出されることができる。
【００１５】
発明の例示的実施形態は、盗人による商品の「一掃」を妨げるために、商品の列、レーンまたは並びの間、および並びの端部において配置される一連の壁またはデバイダー１１０を含んでいても良い。これらの壁１１０は、時々「商品デバイダー」とも呼ばれる。ここで使われるように、「垂直壁」、「商品デバイダー」、および「デバイダー」という用語は、商品の列、レーンまたは並びの間で使われ得るあらゆる壁（垂直および非垂直を含んだ）、デバイダー、バリアーまたはセパレーターを含むことが意図されている。商品デバイダー１１０は、ディスプレイシステム１００上に間隔を空けられたやり方で配置された時に、販売されるべき商品を位置付けし分離するための商品レーン１１２を形成する。
【００１６】
商品デバイダー１１０または側部壁はまた、ディスプレイシステム１００の側方からの商品へのアクセスを防止するために商品の並びの側部に配置される。一実施形態では、これらのデバイダーまたは側部壁は、追加の商品の安全確保を提供するためにそれらが垂直または水平に伸長することを許容するテレスコープ式特徴を含んでいても良い。顕著なことに、これらのデバイダーまたは側部壁は、それらのサイズと範囲が、大抵の棚、棚載せまたはディスプレイシステム、または応用にフィットするように調節されることができるので、数々の応用において使用され得る。
【００１７】
プッシャー１２６が、商品を前方に促すために使われることができる。このプッシャーは、商品を前方に促すことを補助するためにコイルばねを組み込むことができる。いくつかの実施形態におけるデバイダー１１０は、ベースまたはフロアを含むことができる。いくつかの実施形態では、このフロアは、プッシャートラック１２８を含む。図６は、デバイダー壁の一方のサイド上のフロアを示す。第２のフロアが、デバイダー壁の反対側上にあることができる。垂直デバイダー壁の両サイド上のフロアがあると、商品がそれらのフロア上に安置されることができる。１つのそのような実施形態では、商品は、１つのデバイダーの１つのフロア上と第２のデバイダーの第２のフロア上に安置される。
【００１８】
商品デバイダー１１０は、商品デバイダー１１０を越えて商品が取り出されることを妨げる高さ、形状および構成を規定する。デバイダー１１０は、棚１０４の間および棚１０４の前方から背面壁１０６まで、垂直または非垂直なやり方で伸長する。デバイダー１１０は、全体的に長方形の形状を有するが、非長方形、卵形、繰り返しパターン等のようなデバイダーのその他の形状および構成が、発明と共に使われても良い。販売されるべき商品と、商品へのアクセスの望ましい程度に応じて、商品デバイダー１１０の前方エッジ１１４は、棚１０４の間を垂直に伸長しても良く、または消費者にとって商品をよりアクセスし易く棚から取り出し易くするために非垂直的に伸長しても良い。一実施形態では、デバイダー１１０は、図５に示されるように、前方エッジ１１１から外向きに突出する前方エッジ部分１１３を含む前方エッジ１１１を規定する。前方エッジの突出部分は、以下に記載するように、留置き壁またはタブ１２２のスライド可能な動きを防止するための位置に留置き壁またはタブ１２２を保持することを補助する。
【００１９】
商品デバイダー１１０は、様々な技術を使ってディスプレイシステム１００に載置され得る。例として、デバイダー１１０は、棚１０４中に形成されたトラックまたは棚１０４に取り付けられるベース中に形成されたトラックの中に挿入されても良い。同様に、デバイダー１１０は、一体的にかまたは棚に載置されるベースをもった単一のユニットとして形成されても良い。また、デバイダー１１０は、当業者によって理解されるようなレール、チャンネルまたは溝に載置されても良い。デバイダー１１０は、商品を商品レーン内に留め置くのに十分に剛性であるべきである。発明と共に使われ得るデバイダーの例は、Hardyへの米国特許番号6,041,720、Breslowへの米国特許番号 4,830,201、Hardyへの国際出願番号 PCT/US02/15760および対応する国際公開番号ＷＯ02/091885A1に記載されており、それらはここに引用によって組み込まれる。その他のデバイダーおよびデバイダーを棚に載置する技術が知られており、発明の教示内容と共に使われ得ることを、当業者は理解するであろう。
【００２０】
一実施形態では、デバイダー１１０は、壁１１０が持ち上げられその上にそれが載置されているレールから脱係合されることを許容するために、その後方エッジの近くの下降ステップまたは傾斜、または壁の高さの減少、を有していても良い。この構成では、デバイダー１１０は、その上の棚と干渉すること無く横方向に動かされ得る。一実施形態では、垂直壁またはデバイダー１１０は、その前方エッジから壁の長さの約２／３で始まる下降ステップを有する。
【００２１】
実施形態では、棚の一部のみの上のアイテムについて強化された安全性を提供することが望ましくあり得る。それらのアイテムは、棚の中央かまたは棚の側方上に位置していても良い。ここで参照されるもののような安全性特徴は、棚の残りが安全性特徴をより少なく含むか全く含まない一方で、棚の一部のみに追加されることができる。高い安全性のアイテムが棚の中央に置かれたところでは、それらのアイテムは、壁の使用を通して棚の残りから分離されることができる。それらの壁は、棚の高い安全性の部分のために側部バリアーを提供することができる。それらの壁は、金属のような強い構築物で作られることができ、棚のフロアから棚の頂部にかなり近い距離まで伸長することができる。それらの壁はまた、壁が曲げられるか、取り除かれるかまたはそうでなければ横切られる可能性を制限し、棚の上で販売されているアイテムへのアクセスを制限することを補助するために、棚およびその他の安全性特徴に取り付けられることができる。
【００２２】
図２５、３０および３１を参照すると、壁３４０および３５０が、棚をより高い安全性のエリアとより低い安全性のエリアに分離するのに使われている。壁３４０および３５０は、鋼鉄で作られることができ、棚のフロアかまたはその近くから棚の天井かまたはその近くのエリアまで伸長することができる。壁はまた、調節可能であることができる。実施形態では、壁は、上部セクション３４４と下部セクション３４６からなることができる。図３１に示されるように、これら２つのセクションは、連続したバリアーを提供するように重複することができる。壁３４０の上部セクション３４４と壁３４０の下部セクション３４６は、２つの壁を揃える開口を含むことができる。ねじ、ボルト、ピン、ロッドまたはその他の留め具のような留め具３４８が、２つの壁を特定の高さで連結するのに使われることができる。壁はまた、開口を含み、ねじ、ボルト、ピン、ロッドまたはその他の留め具のような留め具３４９を通して棚のフロアに接続されることができる、フロア３４２からなることができる。
【００２３】
図７４−７８を参照すると、代替的な実施形態では、壁３４０および３５０は、スライド可能に可動であり再配置可能である調節可能な壁７０２の形であっても良い。壁７０２は、壁７０２の動きと、望ましい位置への壁７０２の位置の調節を許容する１つ以上の細長いチャンネルまたはスロット７０４を規定する。例示的実施形態では、チャンネル７０４は、調節可能な壁７０２上に垂直的および水平的に向き付けられていても良い。壁７０２は、望みに応じて動かされて配置され、ねじ、ボルト、ピン、ロッド等のような留め具７０８の使用を通して下方壁部分７０６にしっかり取り付けられても良い。下方壁部分７０６は、留め具７０８を受けるための多数の孔７０９を含んでいても良く、上述したようにフロア７１０を棚のフロアに載置するための複数の孔７１１を含み得るフロア７１０を含んでいても良い。壁７０２を下方壁部分７０６に対して調節する際の便利さのために、六角棒スパナ、レンチ、スクリュードライバー等のようなツール７１４が、壁７０２の位置の望ましい調節を行うためにユーザによって使われるように、下方壁部分７０６に載置されていても良い。
【００２４】
容易に明らかであるように、細長いチャンネル７０４は、下方壁部分７０６に対する壁７０２の多数の載置位置を提供する。例示的な位置では、壁７０２は、留め具７０８が細長いチャンネル７０４中の位置７１６ａおよび７１６ｂに位置するように、下方壁部分７０６に留められる。この位置では、図７５に示されるように、壁７０２は伸長していない位置にある。多数の代替的な位置の１つでは、位置７１６ｃおよび７１６ｄにおいて壁７０２が配置されても良く、留め具７０８が位置していても良い。この位置では、壁７０２は、壁７０２が下方壁部分７０６に対して上向きに下方壁部分から離れて伸長するように、伸長した位置にある。この位置では、壁７０２は、棚へのアクセスを禁止しそれにより棚上の商品を更に安全にするための追加のバリアーとしての役目を果たしても良い。更に別の例では、位置７１６ｂおよび７１６ｅにおいて壁７０２が配置されても良く、留め具７０８が位置していても良い。この位置では、壁７０２は、壁７０２が下方壁部分から離れて伸長して下方壁部分と同じ高さにあるように、伸長した位置にある。棚に対する壁７０２の多数のその他の位置が、望ましい安全性のレベルと棚の構成に応じて可能であり、ツール７１４が壁７０２の調節の便利さと容易さを提供することが、容易に明らかであるはずである。細長いチャンネルが、下方部分に対する壁７０２の動きおよび調節をそれでも許容する多数のその他の構成を規定し得ることが理解されるべきである。図７４−７８によって描かれたシステムは、棚の一端または両端、もし望ましければ棚の前方または後方に載置されるように更に構成されても良い。また、壁は、金属またはプラスチックのようなあらゆる好適な材料で作られていても良い。
【００２５】
図２５−２７と３０−３３を参照すると、クリップまたはクリップ部材３２０または３６０が、壁３４０、３５０、特に安全な製品を非安全な製品から分離する壁を、棚１０４に更にしっかり取り付けるために使われても良い。クリップ３２０、３６０はまた、デバイダー１１０を棚に１０４にしっかり取り付けるために使われることができる（図示されていない実施形態）。クリップ３２０、３６０は、壁の曲げまたは移動を防止するために壁３４０、３５０を強化するために使われても良い。クリップ３２０、３６０の使用により、クリップ３２０、３６０が棚上の商品にアクセスするための潜在的な壁の曲げまたは捩りを防止するので、壁３４０、３５０は、より薄く、より安価な材料で作られても良い。壁３４０、３５０はまた、側部壁としても知られている。
【００２６】
例示的実施形態では、クリップ３２０、３６０は、以下で説明されるバリアー１４０を棚１０４に蝶番するのに使われる、蝶番レール３２２と係合するように一端において構成される。蝶番レール３２２は、棚に載置される。クリップ３２０、３６０は、その蝶番レール３２２との相互作用を通して棚に載置される。クリップ３２０、３６０は更に、壁３４０、３５０と係合するように反対端において構成される。より特定には、クリップ３２０は、蝶番レール３２２と、蝶番レール３２２に沿った複数の位置のいずれかにおいて係合し、よってクリップ３２０の配置に柔軟性を提供する、ように構成されたブレード部分３２４を含む。ブレード部分３２４は、多数の形状および構成を取り得て、クリップ本体３２８と接続されるかまたは連結され得る。クリップ本体３２８は更に、対向する壁載置部材３３０と接続されるかまた連結される。壁載置部材３３０は、壁が載置部材３３０の間を通って、壁３４０の対向する側に配置されるように構成されている。壁載置部材３３０は更に、図２７に描かれたように、載置部材３３０を壁３４０にしっかり取り付けるために使われ得る、載置留め具３３４を受けるための揃えられた孔３３２を規定する。揃えられた孔３３２は、通過孔またはねじ孔であっても良い。理解されることができるように、あらゆるタイプの留め具または取り付け技術が、クリップ３２０を壁３４０にしっかり取り付けるために使われても良い。
【００２７】
壁３４０または３５０が棚の側部端に置かれているところでは、クリップ３６０が、壁３４０、３５０を棚１０４に更にしっかり取り付けるために使われることができる。棚のエッジでは、蝶番レールが終了する（図示せず）。クリップ３６０は、クリップ本体３６４から一方向のみに伸長するブレード部分３６２を含む。ブレード部分３６２は、蝶番レール３２２と係合するように構成されている。実施形態では、ブレード部分は単一の蝶番ピースまたは蝶番レールのナックルのみと係合する。例えば、図２７では、単一の蝶番ピースまたはナックルが３２３によって指し示されている。ブレード部分３６２は、第１のブレード部分３６３と、第１の部分３６３と角度をもつことができる第２の部分３６６を含む。第２の部分３６６は、ナックル３２３のサイド３２４と相互作用するように構成されることができる。ブレード３６２は、多数の形状および構成を取り得て、クリップ本体３６４と接続されるかまたは連結され得る。クリップ本体３６４は更に、対向する壁載置部材３６８と接続されるかまた連結される。壁載置部材３６８は、壁が載置部材３６８の間を通って、壁３５０の対向する側に配置されるように構成されている。壁載置部材３６８は更に、載置部材３６８を壁３５０にしっかり取り付けるために使われ得る、載置留め具（図示せず）を受けるための揃えられた孔３７０を規定する。揃えられた孔３７０は、通過孔またはねじ孔であっても良い。理解されることができるように、あらゆるタイプの留め具または取り付け技術が、クリップ３６０を壁３４０または３５０にしっかり取り付けるために使われても良い。
【００２８】
前方留置き壁１１６が、棚１０４の前方エッジに沿って配置されても良い。前方留置き壁１１６は、商品を商品レーン１１２中に抑制し、商品が棚１０４の前方から落下することを防ぐことを補助するための「フェンス」としての役目を果たすことができる。留置き壁１１６は、以下で記載される、プッシャーの促しによって引き起こされる商品の前方向きの動きを停止する。図６に例示されるように、留置き壁１１６は、棚１０４の前方エッジ１１９に沿って伸長するチャンネルまたはレール１１８に載置されても良い。チャンネルまたはレール１１８は、標準的ディーラー棚中の既存の孔に載置されても、あらゆるその他の既知のやり方で棚１０４にしっかり取り付けられても良い。留置き壁１１６は、チャンネルまたはレール１１８にかその上に載置されても良い。前方留置き壁１１６は、棚の上の商品の視覚化を許容し、販売される商品へのより美的に心地良い組織化を提供するために、透き通ったプラスチックで作られていても良い。前方留置き壁１１６はまた、不透明または半透明の材料から、またはワイヤから、作り出されることができ、グラフィックを表示することに適応可能であることができる。前方留置き壁１１６は、長方形、横長、繰り返しパターン等のような様々な構成を有することができる。
【００２９】
図７により明確に示されているように、前方留置き壁１１６はまた、そこを通して伸長し壁１１６に沿って間隔を空けられた孔または開口部１２０を含んでいても良い。孔１２０は、消費者および店員が、商品の挿入および取り出しの容易さのために商品を留置き壁１１６から離して押し戻すことを許容する。
【００３０】
図１および２に示されるように、留置き壁１１６は、一度に１つの商品か、または望ましい安全性のレベルに応じて、一度に２つの商品またはわずかな商品の取り出しを許容する高さを有することができる。言い換えると、留置き壁１１６の高さは、商品への限定されたアクセスおよびディスプレイシステム１００からの取り出しを許容することができる。別の言い方をすると、留置き壁１１６は、商品へのいかなるアクセスも禁止するほどには高くないが、消費者または店員が一度に留置き壁１１６を越えて商品の限定された数にアクセスして持ち上げることを許容するようなサイズである。この限定された商品の取り出しは、留置き壁１１６の使用と、商品の上に配置された棚１０４の近接さを通して達成される。つまり、一実施形態では、商品の上に位置する棚１０４は、商品の上部エッジかまたは商品デバイダー１１０の上部エッジのどちらかより高い方に近接して配置される。商品の上に位置する棚１０４、商品デバイダー１１０および留置き壁１１６は、一度にかまたは単一の動きによって１つか２つかまたは可能性としてわずかな商品のみをそこを通して取り出すことができる開口部または窓１３１を形成する。この構成はまた、棚１０４からの商品の「一掃」を妨げる。窓１３１のサイズは、商品の上の棚１０４、デバイダー１１０および／または留置き壁１１６の位置を調節することによってか、または以下で記載される、第２の留置き壁１２２、バリアー１３０および／またはバリアー１４０の使用を通して、調節することができる。この窓１３１の調節は、システムでの柔軟性を許容し、商品のサイズおよびいくつの商品を消費者が一度に取り出すことを許容することを彼らが望むかに応じて、店が窓１３１のサイズを設定することを許容する。
【００３１】
例示的実施形態では、もしより背が高い商品が棚１０４上で販売されれば、あるいはもしより小さい窓１３１が望ましければ、第２の留置き壁１２２が、商品の留置き器としての役目を果たすために、留置き壁１１６の後かまたは可能性として前に配置されても良い。ここで使われるように、第２の留置き壁１２２は「タブ」と呼ばれても良く、高盗難アイテムのような特定の商品の選択的な盗難防止を提供するように選択的に構成されるかまたは棚１０４に載置されることができるあらゆる留置き構造または「フェンス」を含み得る。従って、第２の留置き壁またはタブ１２２は、多くの構成、形状およびデザインを有し得て、商品の個別の列または商品の列のグループの前で使われ得る。
【００３２】
図６および７に示されるように、第２の留置き壁またはタブ１２２は、チャンネルまたはレール１１８と平行に伸長する第２のチャンネルまたはレール１２４にかまたはその上に載置されても良い。留置き壁またはタブ１２２は、棚１０４またはレール１２４に対してスライド可能であっても良く、あるいは棚１０４またはレール１２４に対して固定されていても良い。タブ１２２は、隣接するデバイダー１１０の間に配置され、デバイダー１１０の間の位置に保持されることができる。言い換えると、デバイダー１１０がそのようなスライド可能な動きを妨害するので、タブ１２２は、チャンネルまたはレール１２４中またはその上で多くのスライド可能な動きを許容されていなくても良い。いくつかの実施形態では、デバイダー１１０は、タブまたは第１の留置き壁が横方向に動くことを防止するためのストップとしての役目を果たす部分を含む。そのような構成は更に、潜在的な盗人が単純にタブ１２２をサイドにスライドして一度に多数の商品を取り出すことを許容されないので、商品の盗難を防止する。
【００３３】
第２の留置き壁またはタブ１２２は、限定された数の商品へのアクセスとその取り出しを許容する高さを有する、もし望ましければ、タブ１２２は、一度に１つの商品だけの取り出しを許容する高さを有していても良い。タブ１２２の使用によって、ディスプレイシステム１００は、様々なサイズの商品を収容するように変動する高さのタブ１２２が商品レーン１１２の前に配置され得るという点で柔軟性を有する。つまり、もし商品の列が、隣接する列中の商品とは異なる商品の背の高さを有していれば、変動する高さのタブ１２２が、適正な安全性のレベルと商品へのアクセスを提供するために使われることができる。
【００３４】
一実施形態では、タブ１２２は、１つの商品レーン１１２に跨ってかまたは商品の単一の列の前に伸長するようなサイズであっても良い。代替的な実施形態では、タブ１２２は、複数の商品レーン１１２に跨って伸長するようなサイズと形状であっても良い。この実施形態では、タブ１２２は、タブがデバイダー１１０に「跨って乗り」、それにより複数の商品レーンに跨って伸長することを許容するためにスロットまたはチャンネルを含むことができる。加えて、デバイダー１１０は、スロットまたはチャンネルを通して伸長し、それによりタブ１２２のスライド可能な動きを禁止することができる。
【００３５】
第２の留置き壁またはタブ１２２はまた、留置き壁１１６の代わりに使われても良い。言い換えると、商品の並び上の前方「フェンス」が、変動する高さ、長さおよび幅かまたは同じ寸法のタブ１２２であっても良い。この構成では、チャンネルまたはレール１１８が、クリップイン標識、価格タグホルダー等のようなディーラー棚アクセサリーを載置するために使われても良い。タブ１２２はまた、デバイダー１１０に取り付けられることができ、あるいはタブ１２２とデバイダー１１０が一体化されたピースであるように形成されることができる。タブ１２２のような壁または部分的壁構造は、デバイダー１１０の前において存在することができ、デバイダーの左または右または左右両方まで伸長することができる。この壁または部分的壁は、前方留置き壁１１６有りまたは無しで使われることができる。
【００３６】
例示的実施形態では、タブ１２２は、消費者および店員が、商品の挿入および取り出しの容易さのために商品を留置き壁１１６およびタブ１２２から離して押し戻すことを許容するように、留置き壁１１６中の孔または開口部１２０と同様の、タブ１２２を通した孔または開口部１２５を含んでいても良い。言い換えると、孔または開口部１２０は、商品を取り出したが商品を購入しないことに決定した消費者によって、商品が置き直されることを許容する。このために、孔または開口部１２０、１２５は、商品の列を押し戻すためにそこを通しての指でのアクセスを許容するように構築されている。一旦商品は後方向きに押されると、消費者または店員は、取り出された商品を並びに置き直して戻すことができる。タブ１２２はまた、孔または開口部１２５を含まないものが使われることもできることが理解されるべきである。
【００３７】
例示的実施形態では、タブ１２２は、商品の並びの個別の列のための安全確保を提供しても良い。つまり、商品の個別の列のために追加の盗難妨害を提供することが望ましくても良い。この構成では、望ましい寸法を有するタブ１２２が、商品のその列だけのための追加の安全確保を提供するために、望ましい商品の列の前に配置されても良い。この実施形態は、異なる寸法の個別のタブ１２２が特定の商品の安全確保を強化するために並びに跨って様々な位置に置かれ得るという点で、店にそれらの棚割および商品の並べで追加の柔軟性を提供する。
【００３８】
実施形態では、留置きタブ１２２は、特定の商品について個別の並びベースで使われることができる。もし棚が可変な背の高さの商品パッケージをもって商品販売するのであれば、留置き壁１１６は、それを越えて持ち上げられるべき最も背が低い商品パッケージを許容する高さのものでなければならない。もし棚１０４、バリアー１３０またはバリアー１４０が商品の上に採用されれば、棚１０４またはバリアー１３０、１４０は、その下の最も背が高い商品の配置を許容するように商品より上の高さに位置していなければならない。これは、比較的低い留置き壁１１６を越えて多量のより背が高い商品を容易に持ち上げることが可能とされることによって、盗人により背が高い商品への容易なアクセスを許容し得る。すると、より背が高い商品の前だけで前方バリアーの高さを増加することが望ましくなることがあり得る。第２の留置き壁またはタブ１２２は、留置き壁１１６よりも高い高さのものであることができ、一般的に背が低い商品パッケージに要求されるよりも高いものであることができる。留置き壁またはタブ１２２は従って、より背が高い商品へのアクセスと一度にかまたは１つの動きでのいくつかのより背が高い商品の取り出しを制限し、商品を更に安全にして盗難を妨げるように構築されて使用されることができる。同様に、留置き壁またはタブ１２２は、より背が低いがより深い商品へのアクセスを制限し、一度にかまたは１つの動きでのいくつかのより背が低いがより深い商品の取り出しを制限するように構築されて使用されることができる。留置きタブ１２２はよって、商品のサイズ、形状および構成に拘わらず、小売り業者および製造業者による棚の上での柔軟な商品の配置を許容する。
【００３９】
留置き壁１１６およびタブ１２２は、多数の技術を使って棚１０４に、直接的または間接的に、載置されても良い。留置き壁１１６およびタブ１２２は、留め具、接着剤、摩擦、張力、磁力またはその他の抑制技術および方法を通して棚の前方エッジにしっかり取り付けられているチャンネルまたはレール１１８、１２４にスライド可能に載置されるかまたはそれらの中に受け取り可能であっても良い。留置き壁１１６およびタブ１２２はまた、これもまた留め具、接着剤、摩擦、張力、磁力またはその他の抑制技術および方法の使用を通して棚１０４に直接的に載置または接続されても良い。留置き壁１１６およびタブ１２２は、システムのデザインと安全性のレベルに追加の柔軟性を許容するように、棚１０４に固定されるかまたは棚１０４に取り外し可能に載置されても良い。
【００４０】
プッシャー１２６が、商品を前方向きに押してそれが棚の前部から取り出され得るようにするために、背面壁１０６と棚１０４の前方エッジの間で商品の背後に置かれても良い。留置き壁１１６およびタブ１２２は、もし使われれば、いくつかの実施形態ではプッシャーの促しによって引き起こされる商品の前方向きの動きを停止することができる。Hardyへの米国特許番号6,041,720、Breslowへの米国特許番号 4,830,201、Hardyへの国際出願番号 PCT/US02/15760および対応する国際公開番号ＷＯ02/091885A1に記載されたプッシャーおよびプッシャーシステムを含んだ、既知のプッシャーが発明と共に使われても良く、それらは全てここに引用によって組み込まれる。プッシャー１２６は、図６に示されるように、棚１０４の前方エッジに向けて商品を押すようにトラック１２８に沿って動く、ばね付勢されたプッシャーであっても良い。トラック１２８は、デバイダーの一方のサイド上のフロアを形成することができる。トラックをもつかまたはもたない第２のフロアが、デバイダーのもう一方のサイド上に位置することができる。
【００４１】
実施形態では、プッシャー１２６は、プッシャーの押し表面を増加させてそれによってより幅の広い商品をより効果的に押すようにするために、横方向に拡張し得るプッシャー面またはパドル１２９を有していても良い。言い換えると、プッシャー１２６は、幅の狭い商品または幅の広い商品のどちらかを押すために拡張可能なプッシャー面を有していても良い。プッシャー面またはパドル１２９は、引っ込められた位置からいくつかの拡張された位置の１つまで拡張可能であっても良い。拡張されたプッシャー面は、より幅の広い商品の中心または中心の近くの背後に商品押し表面を位置させ、それによってより幅の広い商品上での押しレバレッジを大きく強化する。ここに引用によって組み込まれるHardyへの米国特許出願シリアル番号10/772,134に記載されたシステムおよびプッシャーを含んだ、多数のその他のタイプのプッシャーおよびプッシャー面が発明と共に使われても良い。
【００４２】
プッシャー１２６は、図中に描かれたチャンネル載置技術を含んだ、あらゆる既知の技術を使って棚１０４に載置可能な独立ユニットであっても良い。つまり、一実施形態では、プッシャー１２６は、図６に示されるように、前方レールまたはチャンネル１３３に載置されても良く、そのレールまたはチャンネル内または上でスライド的に調節可能であっても良い。代替的に、上記の参照された特許および出願に開示されているように、または当該技術で既知のように、プッシャー１２６は、デバイダー１１０との関係で使われても良く、デバイダー１１０に動作的に載置されても良い。
【００４３】
別の実施形態では、プッシャー１２６は、標識帯を含むコイルばねのようなばね機構を組み込んでいても良い。標識帯は、ばね機構上に提供され、プッシャー１２６の位置に関連するデータを含んでいる。センサーアッセンブリーが、標識帯をスキャンし、商品とディスプレイシステム上のプッシャーの位置を表すデータを、携帯型コンピューターまたはコントローラのような店舗コンピューターまたは何らかのその他の好適なデバイスに送信しても良い。送信されたデータは、在庫レベルを決定するのに使われることができ、リアルタイムでそうすることができる。この実施形態では、店内の特定の位置から取り出された商品の量を決定することができる。この情報は、特に商品が小売店内の様々な場所から取得できるときに、商品の配置および促進ディスプレイの効果的さを決定するのに使われることができる。盗難の妨害に関しては、消費者の典型的な購入慣習からの逸脱が警報をトリガーすることができる。つまり、警報が、多過ぎる商品が一度に棚から取り出され、よって潜在的な盗難が起きているという事実に警備員の注意を喚起するのに使われることができる。出来事の位置もまた、以下で説明するように、カメラを潜在的な盗難の方向にフォーカスすべく防犯カメラの注意を喚起するのに使われることができる。この実施形態では、プッシャー１２６の相対的位置および動きを監視するのに、多数のタイプのセンサーおよび検出技術が使われても良い。例えば、実施形態では、標識帯が、光学的に読み取り可能かまたは、受動的可変キャパシタンス、インダクタンス、抵抗、磁気、または能動的信号検出のような、いくつかの異なるタイプの検出方法を使って読み取ることができる、多数のタイプのパターンを含んでいても良い。潜在的な盗難状況を指し示し得るプッシャー１２６の異常な動きを検出するために、ここに引用によって組み込まれるSwafford et al.への米国特許出願シリアル番号10/772,010に記載されたシステムおよび技術を含んだ、多数のその他のタイプのセンサーおよび検出技術が発明と共に可能である。
【００４４】
その他の例示的実施形態では、販売される商品は、摩擦、重力および／または磁気を含んだその他の技術を通して、棚１０４の前部に向けて促されても良い。それらの秘術の各々は、本発明のディスプレイシステム１００および教示内容と共に使われても良い。それらの技術は、望ましい応用に応じて、デバイダー１１０有りでかまたは無しで使われても良い。一実施形態では、棚は完全に水平ではなく、後部から前部に傾きまたは傾斜を有する。
【００４５】
別の実施形態では、販売される商品は、商品を棚１０４上で特定の方向に向き付けする振動または素早い動きを通して、棚１０４の前部に向けて促されても良い。振動は、商品が前方並べされるように、商品が棚１０４の上と前方向きに動くことを引き起こし、それらが後方向きに動くことを防止することができる。この振動は、機械的、電気的またはその他の構造または設計を通して印加されても良い。
【００４６】
一実施形態では、方向性の振動が、商品を棚の前部に向けて動かす。方向性の振動は、商品が特定の方向または一方向に動き、その他の方向に動かないことを引き起こす。棚１０４、直立部１０２、フロア、壁、天井またはその他の構造を通して、あるいは空中を伝播する振動パルスまたは信号を通して起こされるこの振動を通して、商品は前方向きのような特定の方向に動く。
【００４７】
商品を棚１０４の前方向きに促すための振動技術の別の実施形態では、一般的な非方向性の振動がシステムに印加される。この振動は、棚１０４、直立部１０２、フロア、壁、天井またはその他の構造を通して、あるいは空中を伝播する振動または信号を通して印加されても良い。小さなトグル、リッジ、フランジ、フィンガー等のようなダイレクターが、それらの構成、形状および向きに応じて、商品が特定の方向に動くことを引き起こす。これらのダイレクターは、非特定の振動からエネルギーをチャンネルし、商品を前方向きのような特定の方向に強制する。ダイレクターは、システムの棚１０４、デバイダー１１０、フロア、壁または天井上に置かれることができ、商品自体中に組み込まれることができる。
【００４８】
振動技術の実施形態では、商品はフロア上に位置をとり、摩擦が商品を棚の前部に向けて動かす。一実施形態では、フロアは、動き提供デバイスに動作的に結合された平面パネルであっても良い。使用では、商品は平面パネル上に置かれ、重力と摩擦の組み合わせが商品を平面パネル上の場所に保持する。動き提供デバイスがそれから、棚１０４の前部に位置する留置き壁１１６に向けて平面パネルをゆっくりと動かす。予め設定された時間後、または商品位置感知技術を通して、動き提供デバイスは、平面パネルを反対方向に、言い換えると棚の後部に向けて、素早く、ぐいと引っ張る動きで引っ張る。そうすることによって、平面パネルの素早い動きが商品と平面パネルの間の摩擦の接合を破り、平面パネルが商品に対してスライドし、商品がその場所に留まることを引き起こす。動き提供デバイスはそれから、前述したプロセスを繰り返し、平面パネルを留置き壁１１６に向けてゆっくり動かし始める。商品を棚上で前方向きに促すためのそのような振動技術の例は、Hardyへの米国特許出願シリアル番号60/541,859に開示されており、それはここに引用によって組み込まれる。
【００４９】
上で示したように、デバイダー１１０と留置き壁１１６とタブ１２２は、盗人が多数の商品をコートまたはバッグ中に一掃すること、または同じ並びでいくつかの商品を取ることを防止することを補助する。商品へのアクセスを更にもっと制限するために、別の例示的実施形態では、水平バリアー１３０（図２）が、商品パッケージの上に含まれて、商品の上に配置された棚１０４の前方エッジにしっかり取り付けられても良い。バリアー１３０は、それを通して商品が棚から取り出されることができるエリア、窓または開口部を削減することによって、商品の並び中の商品への妨害されないアクセスを更に妨げる。バリアー１３０は、棚と別に構築されても良く、または棚と一体的であっても良い。バリアー１３０は、望ましい安全性のレベルに応じて、並び上の商品の一列にかかっていても良く、または商品の複数の列にかかっていても良い。代替的に、バリアー１３０は、商品の直ぐ上に配置された別の棚１０４からなっていても良い。この実施形態では、商品の上の棚１０４は、商品に近接して配置される。バリアー１３０は、一度にかまたは１つの動きで棚または商品プッシャーからのわずかな商品のみの取り出しを許容するように、並び列中の前方商品の背後に配置された１つまたはわずかな商品のみに棚１０４の前部からのアクセスを制約する。留置き壁１１６およびタブ１２２が、商品が棚１０４から容易に取り出されるものとなることを防止するために、バリアー１３０と協働的に使われても良い。言い換えると、本発明は、いくつかの商品が一度にかまたは１つの動きで棚から取り出されることを防止するための１つか２つか複数のバリアーまたは壁の使用を想定している。バリアー１３０は、様々な材料で作られても良く、あらゆる既知の技術を通して棚１０４の前部にしっかり取り付けられても良い。
【００５０】
発明の更なる実施形態は、棚１０４上の商品の頂部の１つか２つ、いくつかか全てかまたは大半に跨ってかかるバリアー１４０を組み込む。バリアー１４０は、それが保護されるべき商品の直ぐ上の棚１０４のエッジかまたはバリアー１３０に蝶番されるかまたは可動に載置され得るという点で、ドアと同様に機能する。ここで使われるように、「バリアー」という用語は、棚１０４上の商品へのアクセスを防止、禁止または妨害するあらゆる構造を含むことが意図されている。バリアーは、多数の形状および構成で具現化されることができる。バリアー１４０は、棚上の既存の載置孔を使って棚１０４に載置されても良い。バリアー１４０はまた、その上の棚からの前方レールの前方エッジに載置されても良い。棚の前方エッジは、その下側にフックまたは「ｊ」形状を有することができる。バリアー１４０は、留置き壁１１６またはタブ１２２の上部エッジと合致するかまたは重複し得る下部リップまたはエッジを規定する。そのような合致または重複は、慎重なアクションでのもの以外の商品へのアクセスを更に閉め出す。例示的実施形態では、図１３に示されるように、バリアー１４０は、バリアー１４０を閉じた位置から開いた位置へおよびその逆に動かすのを補助するためのハンドル２０２を含んでいても良い。ハンドルは、図１３に例示されるようにバリアーのエッジに沿ってバリアー１４０と共に鋳造されても良く、あるいはハンドルは、あらゆる既知の技術を使ってバリアー１４０に取り付けられた、載置された、しっかり取り付けられたまたは接着された、別のコンポーネントであっても良い。発明はハンドルの特定の形状または構成によって限定はされず、ハンドルは多数の形状または構成を規定し得ることを当業者は理解するであろう。しかも、バリアー１４０は、バリアー１４０のエッジに沿って伸長する補強リムをもって構成されても良い。補強リムはまた、ハンドルを備えるかまたはそれをもって構成されていても良い。もしバリアー１４０が、ここに記載されるようなロック機構をもって構成されていれば、補強リムは、潜在的な盗人がバリアー１４０を曲げるかまたは破壊し、よって棚上でロックされて安全確保されることが意図された商品へのアクセスを盗人に与えること、を防止するのを補助する。
【００５１】
以下で説明するように、ケーブルロックまたは同様のロック機構がそれを通して載置され得る、孔または開口部２０４が、バリアー１４０中に位置していても良い。
【００５２】
代替的な実施形態では、商品ディスプレイシステムは、反転された特徴を含む。フロアまたは棚上に置かれて上向きの伸長する発明の側面は、天井上に置かれて下向きに伸長するかその逆であることができる。例えば、バリアー１４０と留置き壁１１６、デバイダー１１０およびタブ１２２は反転されても良い。いくつかの実施形態では、留置き壁１１６、デバイダー１１０および／またはタブ１２２は、棚１０４から上向きに伸長するであろうバリアー１４０の上に構成されても良いことが想定されている。留置き壁１１６、デバイダー１１０および／またはタブ１２２は、商品の上の棚の下側上に置かれて下向きに伸長しても良い。プッシャー１２６および／またはトラック１２８は、プッシャーが下向きに伸長し、プッシャーばねが棚の下側の近くにあるプッシャーの一部の近くかまたは背後に位置するように、棚の下側にしっかり取り付けられることができる。
【００５３】
いくつかの実施形態では、バリアー１４０の背後の商品にアクセスするためには、バリアー１４０は動かされるか持ち上げられなければならず、それは慎重な動きとバリアー１４０をその場に保持するための１つの手の使用を要求する。バリアー１４０が持ち上げられるか動かされる間に、商品は取り出されることができる。バリアー１４０をその場に保持するために１つの手を使う消費者または店員は、ディスプレイシステム１００から商品を取り出すためにもう一方の手を使う必要がある。この実施形態は、同時に両手で商品にアクセスする消費者の能力を禁止するように構築されている。商品が消費者または店員にアクセス可能である一方で、短時間での大量の商品の取り出しは妨げられている。バリアー１４０は、透き通ったか、不透明なまたは半透明な材料から作り出されることができ、様々な一般的なやり方で蝶番されるかまたはスライド可能であっても良い。
【００５４】
図１１および１２を参照すると、調節可能で取り外し可能なバリアー拡張２０６が、バリアー１４０と共に構成されても良い。バリアー拡張２０６は、棚上の商品へのアクセスを防止するか制限するためにより大きなバリアーを作り出すことによって追加の商品安全性を提供するのに使われても良い。バリアー拡張２０６は、載置孔２０８および留め具２１０の使用を通してバリアー１４０に選択的に載置されても良い。図示されているように、いくつかの載置孔２０８が、バリアー１４０かバリアー拡張２０６のどちらかかまたはそれら両方の上に位置することができる。それらの載置孔は、垂直的にかまたは非垂直的に揃えられることができる。いくつかの載置孔２０８は、応用、望ましい安全性のレベルまたは棚の配置に応じて、バリアー拡張２０６が望ましい距離だけ伸長することを許容するように、バリアー拡張２０６がバリアー１４０に対して調節されることを許容する。その他のタイプの留め具または接着剤を使った技術を含んだ、バリアー拡張２０６をバリアー１４０に載置するかまたは取り付けるためのその他の技術が発明と共に可能である。
【００５５】
バリアー拡張２０６は、望ましい応用および商品の安全確保のレベルに応じて多数の形状および構成を規定することができる。例えば、バリアー拡張２０６は、商品の１つの列、１つの並び、または１つより多くの列または並びに跨って伸長するように構成されることができる。バリアー拡張２０６はまた、棚上の商品が消費者またはストック要員に視認可能となることを許容するかまたは防止するように、透き通ったか、透明な、または半透明な材料から作られても良い。バリアー拡張２０６はまた、上述したハンドル２０２と同様のハンドルを含んでいても良い。
【００５６】
バリアー拡張２０６は、追加の商品安全性を更に提供するために追加の構造的一体性と剛性をバリアー拡張２０６に提供する補強リム２１２を含んでいても良い。補強リム２１２はまた、ハンドル２１４を備えるかまたはそれをもって構成されていても良い。もしバリアー拡張２０６が、ここに記載されるようなロック機構をもって構成されていれば、あるいはロック位置になるように構成されていれば、補強リム２１２は、潜在的な盗人がバリアー拡張２０６を曲げるかまたは破壊し、よって棚上でロックされて安全確保されることが意図された商品へのアクセスを盗人に与えること、を防止するのを補助する。
【００５７】
ロック機構が、棚上の商品へのアクセスを更に妨害するか防止するためにバリアー１４０に更に追加されても良い。例示的実施形態では、図１０に示されるように、シリンダーロック２００が、商品へのアクセスを防止するためにバリアー１４０またはバリアー拡張２０６を閉じた位置にしっかり留めてロックするのに使われても良い。ロック２００は、開口部または孔２１６（図１４）を通して、バリアー１４０またはバリアー拡張２０６に載置されても良く、留置き壁１１６中の開口部１２０を通して載置されるように構成されていても良い。
【００５８】
一実施形態では、ロック２００は、留置き壁１１６中に構成されたかまたはそれと共に形成された、アーチ形状の壁部分１１７と係合しても良い。アーチ形状の壁部分１１７は、シリンダーロック２００のロックタブがよりしっかりと留置き壁１１６上に場所を定めるかまたはそれに対する場所に保持されることを許容することによって、ロック２００を留置き壁１１６に更にしっかり取り付ける。ロック２００のようなロックの使用によって、消費者または店員は、バリアー１４０を動かすかまたは持ち上げる前に、ロックを開けるための鍵、スペシャルツールまたはアクセスカードを使用する必要がある。
【００５９】
一実施形態では、ロック２００は、留置き壁１１６中に構成されたかまたはそれと共に形成された、アーチ形状の壁部分１１７と係合しても良い。アーチ形状の壁部分１１７は、シリンダーロック２００のロックタブがよりしっかりと留置き壁１１６上に場所を定めるかまたはそれに対する場所に保持されることを許容することによって、ロック２００を留置き壁１１６に更にしっかり取り付ける。ロック２００のようなロックの使用によって、消費者または店員は、バリアー１４０を動かすかまたは持ち上げる前に、ロックを開けるための鍵、スペシャルツールまたはアクセスカードを使用する必要がある。
【００６０】
図１８−２０を参照すると、別の例示的ロック機構が描かれている。ロック２８０は、鍵ロック式回転卵形ロックであっても良い。ロック２８０は、留置き壁１１６中に形成された孔２８２を通して留置き壁１１６にしっかり取り付けられる。より詳しくは、図２０を参照すると、ロック２８０は、ボルトヘッド２８４を規定するアンカーボルトを含む。ボルトヘッド２８４とワッシャ−は、もし使われれば、ロック２８０を留置き壁１１６にしっかり取り付ける。図２０に見ることができるように、多数の孔２８２が、ロック２８０の位置および配置に柔軟性を提供するためと、多数のロック２８０の使用を提供するために、留置き壁１１６に沿って配置されていても良い。ロック２８０はまた、留置き壁１１６と相互作用するフランジ２９０、２９２を含むことができる。
【００６１】
図１８および１９を参照すると、バリアー１４０またはバリアー拡張２０６は、もし使われれば、卵形開口部２８６を規定する。多数の孔２８２によって提供された柔軟性と同様に、多数の開口部２８６が、同じ柔軟性を提供するためにバリアー１４０またはバリアー拡張２０６に沿って置かれても良い。図１８に示されるように、ロック２８０がロック位置にある時、開口部２８６は、ロック２８０が開口部２８６を通過することを防止する。図１９に描かれたように、ロック２８０が鍵２８８の使用を通してアンロック位置に動かされた時、卵形ロック２８０は、卵形開口部２８６を通過し、よってバリアー１４０またはバリアー拡張２０６の開きを許容する。ロック２８０の使用とその留置き壁１１６への載置により、バリアー１４０またはバリアー拡張２０６上に載置され棚中に伸長するロックと対照的に、バリアー載置ロックで時々起こり得るように、棚上の商品との干渉が無い。加えて、ロック２８０は、チャンネルまたはレール１１８、１２４と相互作用することができるが必ずしもしなくても良く、それらのチャンネルまたはレールを留置き壁またはタブ１２２のようなその他のオブジェクトを受けるために実質的にフリーにしておくことができる。理解されることができるように、発明は描かれた卵形ロック２８０および開口部２８６や、描かれたロックおよび開口部の配置に限定はされず、むしろ多くの様々な形状の鍵式または鍵無しのロックが、バリアーまたはバリアー拡張中に形成された同様の形状の開口部と共に使われ、多数の位置に置かれ、それでも発明の恩恵を達成しても良い、
代替的に、図２１−２４は、追加のロック機構を描く。ロックプレート３０２が、留置き壁１１６中に形成された開口部またはスロット３０４を通しておよびバリアー１４０またはバリアー拡張２０６中に形成された開口部３０６を通して、伸長することができる。ロックプレート３０２は、パッドロック３００を受けるように構成されている。開口部またはスロット３０４の１つ以上が、留置き壁１１６中の孔または開口部１２０の間の描かれた位置を含んだ、留置き壁に沿った様々な位置で、留置き壁１１６中に形成されても良い。開口部またはスロット３０４は、以下に記載されるように、ロックプレート３０２を受けて、ロックプレート３０２を留置き壁１１６上にしっかり取り付けるように構成されている。開口部またはスロット３０４は垂直スロットとして描かれている一方で、開口部またはスロット３０４のその他の形状および構成が発明と共に可能である。パッドロック３００は、商品へのアクセスを防止するためにバリアー１４０またはバリアー拡張２０６を閉じた位置にしっかり留めてロックするのに使われても良い。パッドロック３００は、あらゆる既知の鍵式または鍵無しのパッドロックであっても良く、可動なロックプレート２０２の使用を通してバリアー１４０またはバリアー拡張２０６に載置されていても良い。
【００６２】
理解されることができるように、望ましい安全性のレベルに応じて、１つ以上のロックプレート３０２が、商品へのアクセスを防止するためにバリアー１４０またはバリアー拡張２０６を閉じた位置にしっかり留めてロックするのに使われても良い。ロックプレート３０２は、それらが留置き壁１１６に沿った開口部またはスロット３０４のいずれか内に配置されることができるという点で可動である。可動であることはまた、保護されなければならない棚上の商品のみを保護するように、バリアー１４０またはバリアー拡張２０６が様々な幅で作られることを許容する。加えて、ロックプレート３０２は、チャンネルまたはレール１１８、１２４と相互作用する必要はなく、それらのチャンネルまたはレールを留置き壁またはタブ１２２のようなその他のオブジェクトを受けるために実質的にフリーにしておくことができる。
【００６３】
例示的実施形態では、ロックプレート３０２は、あらゆる好適な金属またはプラスチック材料で作られても良く、留置き壁１１６と、もし使われればバリアー１４０またはバリアー拡張２０６を通して伸長するノーズ３１０を規定しても良い。ノーズ３１０は更に、図２１に描かれたように、パッドロック３００を受けるための開口部または孔３１２を規定する。ノーズ３１０はまた、図２４に示されるように、組み立てられた時に、開口部またはスロット３０４の下方エッジ上に場所を定めるノッチまたは切り欠き３１４を規定する。一旦この位置になると、ノッチまたは切り欠き３１４は、ロックプレート３０２がスライドされるかまたはスロット３０４および留置き壁１１６の背後から押し戻されることを防止する。
【００６４】
ノーズ３１０は、背面プレート３１６に接続されるかまたはそれと共に形成されている。背面プレート３１６は、組み立てられた時に、留置き壁１１６の背後に配置され、ロックプレート３０２を留置き壁１１６に保持することを補助する脚または留置き部材３１８を含む。背面プレート３１６と留置き部材３１８は、ロックプレート３０２を留置き壁１１６に保持することを補助する多数の構成を取り得る。ロックプレート３０２は、留置き壁１１６とバリアー１４０またはバリアー拡張２０６を通して伸長するのみでなく、それがタブ１２２を通しても伸長してそれと共に使われ得るように構成されていても良い。
【００６５】
孔２０４で載置され得るケーブルロック(図１３)を含んだ、あらゆる既知のロック機構が発明と共に使われることができることと、あらゆる既知の鍵、スペシャルツール、アクセスカード、電子的、磁気的またはワイヤレス手段（鍵無しロック機構のための）がロック機構を開くのに使われることができることを、当業者は理解するであろう。
【００６６】
図８に描かれたように、発明の例示的実施形態は、潜在的な盗難状況が存在することの店員または警備員への警報を引き起こすシステムを組み込む。一実施形態では、バリアー１４０を持ち上げるかまたは動かすことが、図中に全体的に描かれた、（デジタルおよびアナログ信号を含んだ）聴取可能、聴取不能、赤外線、無線周波数、セルラー、超音波または電子的信号、あるいはそれらの信号の組み合わせのような信号を提供する、機械的または電子的警報デバイス１４２を起動する。この警報信号は、バリアー１４０が開かれているかまたは異常に長期間のあいだ開かれていて潜在的に盗難状況を表すことを店員または警備員に注意喚起する、サウンド、トーンまたはボイス通告であっても良い。警報デバイス１４２はまた、店舗ページングシステムを介してボイスメッセージを流すために、ローカルまたは遠隔のストロボまたは通報光を起動するために、または店舗コンピューター、ページャー、セルラーデバイスまたは店員または警備員によって携行されているその他の携帯デバイスのような受信機に信号を送るために、電子的またはその他の信号を送っても良い。警報デバイス１４２はまた、特定のエリアまたは近傍を監視するための防犯ビデオカメラを起動するか、またはエリアまたは近傍に置かれてカメラ画像を消費者と潜在的な盗人に示すであろうモニターを起動するか、ウェブ接続、携帯電話、パーソナルデータアシスタントまたはあらゆるその他の信号受信デバイスを介してカメラ画像を警備または店舗管理者に送信するか、しても良い。警報デバイス１４２はまた、ボイス、ビデオまたはビデオとボイスを通して提供される、広告、情報通知またはその他の声明またはディスプレイを起動しても良い。この広告、通知または声明は、警報デバイスを起動するバリアーの背後の特定の商品または商品と関連付けられた商品タイプに向けられることができる。警報デバイスは、１つより多くない商品並びの幅のバリアーが持ち上げられた時に警報デバイスを起動するように、位置していることができる。
【００６７】
ここで使われるように、「警報デバイス」という用語は、警報、警告おおび／または条件、状況および／または事態に関する信号を提供し得るあらゆるデバイスまたはコンポーネントを含むことが意図されている。警報デバイス１４２は、店舗の防犯システムにハードワイヤされていても良く、ワイヤレスシステムであっても良い。ワイヤレスシステムは、もし使われれば、設置に増加された柔軟性を提供し、パワーか通信のどちらかのためのワイヤを設置する必要無しに既存の棚に容易に設置されることができる。加えて、ワイヤレスシステムの使用は、システムの段階的な設置を許容する。例えば、高価値のアイテム（従って、盗まれることの増加された可能性から煩わされている）または消費者の需要に相当な変動を有する傾向のあるアイテムが、最初に監視されることができる。ワイヤレスシステムでは、警報信号は、店舗の防犯システムまたはコンピューターだけでなく、店員または警備員によって携行され得るコントローラ、パーソナルデータアシスタント、ページャーまたは携帯電話のようなあらゆる携帯デバイスまたは受信機にも送られても良い。またワイヤレスまたはワイヤシステムでは、店舗のコンピューターが、盗難状況が存在するかどうかを決定するために警報信号を更に処理することができ、商品配置や、カメラ、警報デバイスセンサー等の配置を微調整し、潜在的盗難状況によって始動された遅延および行動を微調節するために分析されることができる報告を生成することができる。当業者によって理解されるように、店舗のコンピューターは、ネットワークサーバーと共に構成されることができ、ワールドワイドウェブまたはその他のネットワークを通して遠隔的にアクセス可能であることができ、ワールドワイドウェブまたはその他のネットワークを通して遠隔的に制御されることができる。
【００６８】
例示的実施形態では、警報デバイス１４２は、棚１０４の図８に描かれたように下にか、棚の上に、配置される。標準的ディーラー棚上の既存の載置孔が、警報デバイスを棚にしっかり取り付けるのに使われても良い。警報デバイス１４２は、バリアー１４０の近くかまたはそれに隣接して配置されても良い。警報デバイス１４２は、多数の技術を通してバリアー１４０に動作的に接続されても良い。一実施形態では、警報デバイス１４２は、バリアー１４０が動かされるか開かれた時に起動する、プッシュボタンスイッチのようなスイッチ１４４を含む。つまり、バリアー１４０が動きスイッチ１４４と接触するようになると、直接的にか起動プレート１４５の使用を通してのどちらかで、スイッチ１４４が起動される。代替的に、閉じたバリアーの位置では、スイッチ１４４は押下されており、バリアー１４０が開いた位置まで動くにつれてバリアー１４０はスイッチ１４４から離れるように動き、それによりスイッチ１４４を解放し、よって警報デバイス１４２を起動する。
【００６９】
警報デバイス１４２は、その他の方法または技術を通してバリアーの動きを検出するためにバリアーに動作的に接続されるか結合されても良い。例えば、発光ダイオードセンサーアッセンブリーのような動きセンサーまたは同様の感知デバイスが、バリアーの動きを検出しその情報を警報デバイス１４２に通信するのに使われても良い。センサーは、バリアーの動きを検出するために、バリアー自体の上またはバリアーの隣を含んだ様々な位置に載置されても良い。代替的に、磁気スイッチが、バリアーの動きを検出するために組み込まれても良い。
【００７０】
警報デバイス１４２は、どれだけ長くバリアー１４０が動かされているかまたは開かれているかを計算する感知コンポーネンツと時間遅延特徴を含んでいても良い。予め決められた期間に到達した際、言い換えるとバリアー１４０が或る持続時間のあいだ動かされているか開かれている時、警報デバイス１４２は、バリアー１４０が長期間のあいだ開かれているかまたは動かされていることを店員、警備員および／または消費者に注意喚起し、それにより潜在的盗難状況を指し示すために、上述した信号のような信号を送る。例示的実施形態では、予め決められた期間を過ぎた際に、警報デバイス１４２は、近傍に注意を引くであろう、以前のオーディオ警報信号とは異なる信号を含んだオーディオ警報信号を送っても良い。警報デバイス１４２は従って、静かになる前に固定された期間のあいだその警報を提供するように設計されることができる。
【００７１】
警報デバイス１４２の別の実施形態では、オーディオ警報信号は、変動する周波数の様々な警報トーンを提供するためか、バリアー１４０が長いあいだ開かれているかまたは動かされてい過ぎることと消費者がバリアー１４０を閉じる必要があることを通告するためか、または店員および／または警備員に無音アラームを送るために、調節可能である。異なる信号または周波数が、バリアーが開かれているかまたは動かされている時間の長さが増加するにつれて使われることができる。望ましい安全性のレベルに応じて、警報信号の多数の組み合わせが警報デバイス１４２では可能である。警報信号は調節可能であり、望ましい信号レベルとよって安全性レベルを提供するが、それでも正規の消費者が商品を選択して購入することから背を向けることを避けるように、信号の多数の組み合わせが使われても良い。つまり、例えば、警報デバイス１４２は、周辺の買物客または店員／警備員の注意を引くが、それでも正規の消費者またはストック要員のいらだちを制限するのに十分に短い、警報信号を提供するようにプログラムされることができる。
【００７２】
また、別の実施形態では、２段の反応を実装することができる。例えば、もしバリアー１４０が動かされれば、信号が防犯カメラに直接的にか店舗コンピューターを介してかその両方で送信されることができる。加えて、聴取不能な通知が直接的に警備員に提供されることができる。もしバリアー１４０が設定された期間のあいだ開かれたかまたは動かされたままであり、潜在的な盗難をより明確に指し示していれば、追加の聴取可能なアラームとフラッシュ光、またはあらゆるその他のアラームも起動されることができる。よって、反応は、状況により注意深くマッチするように構成されることができる。
【００７３】
図１５を参照すると、例示的実施形態では、防犯ビデオカメラ２６０が、高い盗難リスクのアイテムである商品かまたは関心のあるその他の商品の近傍に置かれても良い。図１６に示されるように、モニター２６２もまた、高いリスクの商品の近傍に置かれても良い。モニター２６２は、防犯カメラ画像を消費者と潜在的な盗人に示すのに使われても良い。よって、ディスプレイシステム１００の棚１０４から商品を取り出す消費者または潜在的な盗人は、彼らの行動がカメラによって監視されており潜在的に記録されていることを認識し得る。
【００７４】
理解されることができるように、防犯カメラ２６０に対する潜在的な盗人の位置は、特定の位置上にフォーカスするための防犯カメラへの命令を提供するのに恩恵があるであろう。この位置情報は、防犯カメラのための防犯カメラ座標システムを店舗コンピューターに設けることを含んだ、多数の方法によって生成されることができる。防犯カメラに対する警報デバイス１４２の位置は、セットアップ中および潜在的な盗難状況中に決定されることができる。警報デバイス１４２の位置は、防犯カメラのフォーカスを指示するのに使われることができる。代替的に、防犯カメラは、通路に沿った３ポイントのようないくつかの位置にフォーカスするように構成されることができ、店舗コンピューターは、特定の状況についてどの位置が最も適切であったかを指し示すことができる。既に存在する防犯カメラを制御する多数の方法のために、記載された方法は描写的なものであるということを、当業者は理解するであろう。
【００７５】
損失防止におけるそのようなシステムの価値に加えて、モニターは、広告または消費者情報の形でビデオを示すことができる。図１７に描かれたように、モニター２６２は、ビデオスイッチ２６４の使用を通して広告または消費者情報とカメラ画像の間で切り替えることができる。この切り替え活動は、３０秒毎のような定期的ベースで起こることができ、またはバリアー１４０の持ち上げ、商品の取り出し、プッシャーの動き、または消費者がエリアに入ったかまたは近づいていることの近接センサーからの入力のような、予め決められた条件が満たされた時に起こることができる。ビデオセグメントをプレイすることにより、デバイスは損失を削減するだけでなく、広告主が彼らのメッセージをシステム上に載せるために課金される時には収入源にもなる。
【００７６】
その上で広告、消費者情報またはその他のコンテントが示されるモニターのための二次的ビデオソースは、ビデオカセットレコーダー、コンパクトディスクビデオプレーヤー、ソリッドステートデジタルビデオプレーヤ−、ダイレクトビデオ、オーディオフィードまたはその他のビデオソースのようなビデオプレーヤー２６６であることができる。スイッチ２６４については、カメラ画像と広告またはその他のコンテントの間の切り替え行為は、ハードウェアタイマーまたは小さなマイクロコントローラによって成し遂げられることができる。一実施形態では、二次的ビデオソースは、タイマーまたはマイクロコントローラによってランダム的にかまたは非ランダム的に選択された多数の短いビデオセグメントを含むことができる。カメラ２６０は、小さな独立型で、既存の防犯システムのいかなる部分にも接続されていなくても良く、またはそれは店舗の防犯ネットワークに既存の典型的な店舗防犯カメラであっても良い。モニター２６２は、小さな平坦でカラーのＬＣＤ型モニターであっても良く、棚１０４の上または近くの多数の位置に置かれることができる。例えば、モニターは、販売される商品の上のオーバーヘッド標識中に置かれてもよく、またはそれが棚１０４エッジに取り付けられることができる。いくつかの応用では、ＣＲＴ型、プラズマ、ＬＣＤまたはプロジェクションモニターのようなより大きなモニターが使われることができる。好ましいソリッドステートデジタルビデオプレーヤーが、二次的ビデオソースからなっていても良い。ソースは、モニターと同じエンクロージャー中に収容されても良く、またはモニターから遠隔的に位置していても良い。
【００７７】
図４および５に戻って参照すると、別の例示的実施形態では、その上に商品が載せられる棚１０４は、「引き出し」棚であっても良い。「引き出し」棚は、店の関係者または店員が棚を再ストックするために商品にアクセスすることを許容するが、盗人がそのようなアクセスを得ることを防止する。引き出し棚は、棚上の全ての商品への容易なアクセスを許容する。この機能は、但し、棚が消費者または盗人によって可動ではなく従って引き出し機能が鍵ロック、スペシャルツールまたはその他のロック機構によって保護されなければならないことを要求する。この実施形態では、商品デバイダー１１０は、棚の上の最も背が高い商品パッケージの高さに少なくとも等しいものとなるようにデザインされても良い。棚１０４が引き出されると、商品レーンまたはデバイダーは、バリアー１４０が上昇することを引き起こしても良い。もしデバイダー１１０の高さが最も背が高い商品パッケージより低ければ、棚を押し戻すことは、バリアー１４０が商品パッケージ上につっかかって、その閉じた位置まで戻ることをより困難にすることを引き起こし得る。加えて、棚１０４を引き出すことは、バリアー１４０を上昇させ、それは上で説明したように通告器または信号生成器を起動し得る。
【００７８】
図９を参照すると、例示的実施形態では、最上段の棚１０４の上に置かれたバリアーは、オーバーストックの商品または追加のディスプレイシステム１００コンポーネンツの収納のために使われ得るロックボックス１０８を含んでいても良い。最上段の棚１０４が引き出し型である実施形態では、棚１０４が引き出される一方で、その上の水平なバリアーがその場に留まり、商品が容易にアクセスされることを許容する。上で示されたように、ロックボックス１０８はまた、既知の載置技術を通して垂直直立部１０２に載置されても良く、ディスプレイシステム１００上のあらゆる位置に載置されても良い。ロックボックス１０８は、ロックボックス１０８への鍵でのかまたは鍵無しでの侵入を許容するあらゆる既知のロック機構を使用しても良い。いくつかを挙げると防犯カメラ、モニターおよび警報デバイス１４２を含んだ、その他の安全性コンポーネンツがロックボックス１０８に載置されても良いことを、当業者は理解するであろう。
【００７９】
実施形態では、静的な覆い１８０が、商品ディスプレイシステム１００の頂部に向けて置かれても良い。覆い１８０は、安全性とグラフィック配置を提供し、商品はその中に収納されても良い。覆い１８０は、それが商品の上のポイントからの商品へのアクセスを防止する上部壁またはバリアーとして機能するという点で安全性を提供する。覆い１８０は、既存の棚にかまたはその上に載置されても良い。覆い１８０は、固定されてもまたは調節可能でも良い。調節可能な覆いでは、覆いは、商品ディスプレイシステム上の多数の位置に配置されることができる。加えて、覆い１８０は、上述した例示的引き出し棚１０４と同様のやり方で機能する引き出し覆いであることができる。しかも、覆い１８０はまた、商品を保持するための棚としての役目を果たすことができる。言い換えると、商品ディスプレイシステム１００は、商品を保持するかまたはディスプレイする棚として機能する多数の覆い１８０を含むことができる。また、覆いは、多数の既知の載置技術を通して、バリアー１３０、１４０を載置するように構成されることができる。例示的実施形態では、図９に示されるようなロック可能なドア１０９を有するロックボックス１０８が、追加の商品収納およびグラフィック配置として覆い１８０の上に置かれても良い。
【００８０】
発明の商品ディスプレイシステム１００は、様々なレベルの安全確保および盗難保護を供する。ここに記載される各レベルは別々に使われることができ、様々なまたは全てのレベルはお互いとの関係で使われることができる。各レベルはまた、既存の棚システムに追加されるかまたは適応されるかまたは独立型システムとして提供されることができる。デバイダーまたは留置き壁１１０が、安全確保を提供する。前方留置き壁１１６または「フェンス」が、留置きタブ１２２有りまたは無しで、安全確保を提供する。留置き壁１１６の上のバリアーとアクセスドア１３０、１４０が、安全確保を提供する。その下の棚上に位置する商品の上の棚１０４の近接した配置が、安全確保を提供する。バリアー１４０が設定された期間のあいだ開かれている時に警報デバイス１４２によって生成される聴取可能またはその他の信号が、安全確保を提供する。防犯カメラとビデオディスプレイデバイスが、安全確保を提供する。発明の実施形態のこれらの分離可能な側面の各々は、小売りの設定においてそれ自体で使われることができ、または実施形態のその他の側面との関係で使われることができる。各分離可能な側面は、そのような既存のシステムを実効的に改造して１つ以上の安全性のレベルを追加するために、既存の棚またはディスプレイシステムに追加されることができる。
【００８１】
発明の一実施形態は、様々なレベルの盗難妨害を特徴とする。１つのレベルは、商品の一掃を防止することを補助する。プッシャー１２６、デバイダー１１０および留置き壁１１６は、商品に安全確保を提供するために、商品の上の棚１０４またはバリアー１３０またはその両方と結合される。プッシャー、デバイダー、留置き壁、棚およびバリアーは、ディスプレイシステムの並びから一度に約１つ、２つまたは３つのパッケージが開口部を通して取り出されることを許容する。第２の留置き壁またはタブ１２２が、商品の特定の列のための個別の安全確保を提供するために使われても良い。前方壁１１６およびタブ１２２はまた、それを通して伸長する孔または開口部を含んでいても良く、それらは消費者が棚から商品を取り出すために孔または開口を通して商品を押すことを要求するであろう。
【００８２】
安全確保の第２のレベルは、バリアー１４０またはアクセスドアの追加と共に、第１のレベルの特徴の全てを組み込む。商品にアクセスするためには、消費者は２つの手を利用しなければならず、１つはバリアー１４０を持ち上げまたはスライドするためで、もう１つは商品を取り出すだめで、よってシステムの妨害の第２の層を追加する。
【００８３】
安全確保の第３のレベルは、警報デバイス１４２またはその他の信号送信デバイスのような盗難警告通知デバイスの追加と共に、第１および第２のレベルの特徴の上に構築される。もしバリアー１４０またはアクセスドアが予め決められた時間の量だけ開かれていれば、警報通知または信号送信が起動される。この遅延は、あらゆる持続時間に調節されるかまたは排除されることができる。通知は、バリアー１４０が特定の期間のあいだ開かれていること消費者および／または店員と警備員に通知する、聴取可能、聴取不能、赤外線、無線周波数、電子的またはセルラー信号を提供する。信号送信は、信号を店舗コンピューター、店員または防犯カメラまたはモニターに送ることができる。信号は、バリアー１４０またはアクセスドアが特定の期間のあいだ開かれていることを店舗コンピューターまたは店員に注意喚起することができ、盗人に商品の前の自身の画像を示すために防犯カメラおよびモニターを起動することができる。この画像は記録することができる。追加の警報通知または信号送信が、バリアーまたはアクセスドアが開いている時間の量が増加するにつれて起動されることができる。
【００８４】
消費者または店員による盗難の妨害の追加のレベルは、承認されていない人が棚を引き出すことを制限するための棚１０４上のロック機構の使用である。システムは、棚の前または下側の隠されたアクセススロット中に挿入されるべき鍵あるいは非一般的または一般的な形状の機器の使用を要求することができる。この方法は、ロックを解除するために棚操作の特定の知識を持った誰かを要求するように設計されている。実施形態では、棚が引き出された時に、棚１０４上のバリアー１４０またはアクセスドアが、再ストックの目的のために自動的に上昇されることができ、それから一旦棚が閉じた位置に戻されると再係合される。この応用では、棚が商品で再ストックされていることを指し示すオーディオ警報が組み込まれても良い。
【００８５】
加えて、実施形態では、静的な覆い１８０が、商品ディスプレイおよび管理システムの頂部に向けて置かれても良い。覆いは、商品の上からの商品へのアクセスを禁止することによって安全性を提供する。また、ロックボックスが、鍵ロックまたは何らかのその他のロック機構によって安全確保される追加の商品を収納するために、システム上のどこにでも置かれることができる。
【００８６】
本発明の一実施形態では、発明の様々な側面が既存の棚の部分に追加される。いくつかの環境では、多くの商品のディスプレイの中で１つ、２つまたはわずかな潜在的に高い盗難の商品だけがある。本発明の側面は、それらの高い盗難の商品について棚管理およびディスプレイシステムの一部に単独で追加されることができる。例えば、バリアー１４０は、それらの商品の上に単独で置かれることができる。加えて、側部壁は、一掃またはその他の盗難を更に妨害するために、商品の側部の１つ以上をカバーするように置かれることができる。前方バリアー、ロック機構またはその他のここに記載された発明の側面は、ディスプレイ中の高い盗難の商品またはその他の高度に関係のある商品に単独で使われ、同じディスプレイ中のその他の商品には使われないことができる。一実施形態では、関係のある商品の特定のセットが、同じディスプレイ内のその他の商品から実効的に分離されることができる。この関係のある商品の特定のセットは、ディスプレイ中の残りの商品には使われていないここに記載された追加の安全性の側面の対象となることができる。
【００８７】
図２８−２９を参照すると、背面壁１０６に選択的に載置され得る調節可能なパワーバー４００が描かれている。パワーバー４００は、ビデオモニター、防犯カメラ、照明、照らされた標識、オーバーヘッドヘッダーライト、ラジオ、ステレオ、またはあらゆるその他の棚または商品ディスプレイに載置され得るコンポーネンツで電気パワーを要求するものを含んだ、棚に載置された様々なコンポーネンツに電気パワーを提供する。図に描かれたように、パワーバー４００は、棚の高さの変更または棚の載置または調節との妨害を引き起こすことの無い調節に適合するために、いくつかの位置の間で選択的に調節可能である。
【００８８】
従来、パワー取り出し口は棚に載置され、容易に可動ではなかった。事実、パワー取り出し口をそれらがその上に載置されているところのトラックからアンロックしそれからパワー取り出し口を動かすためには、相当な力が要求された。その他の既知の応用では、パワー取り出し口は、埋め込まれたパワートラックを含んだトラック−照明トラックと同様の、導電性のトラックに載置された。それらのトラック型システムでは、パワー取り出し口は正しい位置に置かれてその場所中にスナップフィットされる必要があった。一旦設置されると、パワー取り出し口はスライド可能ではなかった。
【００８９】
発明のパワーバー４００は、背面壁１０６のようなディスプレイに容易に載置可能であり、棚の位置になされた変更に適合するために容易に調節可能である、商品ディスプレイのためのパワーソースを提供することによって、これらの問題とその他の既知の問題を解決する。パワーバー４００は、ディスプレイの背面壁１０６に取り付けられ得る細長い本体４０２を含む。描かれたように、パワーバー４００は、垂直なやり方で載置されても良く、細長い本体４０２は、商品ディスプレイの全高さだけ、または代替的に商品ディスプレイの全高さより少なく伸長しても良い。パワーバー４００は、およそ同じ垂直の高さに置かれ得る商品棚との、または載置された商品棚の再配置との干渉を避けるために十分な距離だけ、（方向矢印４０１によって示されるように）スライド可能に動かされても良い。パワーバー４００は、パワーバー４００上の多数の位置に構成され得る１つ以上のパワー取り出し口４０４を含む。一旦望ましい位置になると、図示されていない留め具が、望ましい高さで背面壁１０６にパワーバー４００をしっかり取り付けるために調節スロット４０６を通して配置されても良い。調節スロット４０６は、
パワーバー４００の更なる調節を許容するように細長くなっている。
【００９０】
細長い本体４０２は、パワーバー取り出し口４０４にパワーを供給するのに使われる導電性ワイヤ４１０がそこを通過し得る細長い中空空洞４０８を規定する。細長い本体４０２はまた、本体４０２中に本体４０２の各サイドに沿って形成された、窪んだチャンネル４１２を含んでいても良い。チャンネル４１２は、パワーバー４００を本体４０２上に受けて揃えるための受け取り器として使われても良い。パワーバー４００は、舌−溝のやり方で、またはもう１つに対する１つのコンポーネントのスライド可能な動きを許容するあらゆるその他の好適な載置接続で、チャンネル４１２上または内にフィットされても良い。一旦設置されると、パワーバー４００は、チャンネル４１２中または上で本体４０２に対してスライドする。
【００９１】
図３４−５９は、直立部に直接的にしっかり取り付けられ得るボックス棚の実施形態を描く。よって、描かれたように、ボックス棚は、小売りの場所におけるより率直な設置を許容する一方で上述したような盗難防止の恩恵を提供する完全なユニットとして提供されても良い。理解されることができるように、実施形態では、ボックス棚は、サポート棚の必要を排除すべく自己充足的となるように構成されても良い。
【００９２】
最初に図３４−３６を見ると、ボックス棚３４０５は、ハウジング３４０８の一部を形成するように一緒に接続されることができるトップ３４２０と２つのサイド３４２２を含む。窪んだ部分３４２１が設けられており、ボックス棚３４０５が棚の下に載置された場合には、窪んだ部分３４２１が、下向きに伸長し得る棚またはその他の構造をサポートするブラケット（図示せず）との干渉が無いことを確かなものとすることを補助するようになっている。ボックス棚３４０５が伝統的なやり方で垂直サポート（図示せず）に載置されることを可能とすべく、１つ以上の棚サポート３４３０がボックス棚３４０５に載置される。
【００９３】
スライド可能な棚３４１０が、サイド３４２２によって少なくとも一部はサポートされることができる１つ以上のトラック３４１６に載置される。描かれたように、スライド可能な棚３４１０は、（プッシャーまたは単純なデバイダーであり得る）デバイダー３４１８をサポートし、棚３４１０の前部に載置されたレール３４４５を含む、サポート表面３４１２を含むことができる。レールはその一方で留置き３４１４をサポートする。
【００９４】
描かれたように、１つ以上のハンドル３４２６をもったドア３４２４が、蝶番システム４０１０を介してトップ３４２０に載置されることができ、コントロールユニット３５１５と結合され、それはドアが開かれた時に（直ちにかまたはいくらかの予め決められた遅延の後で）聴取可能なトーンを作成するように構成されていても良く、ビデオキャプチャまたは警備員をトリガーすべく遠隔デバイスに信号を提供するように更に構成されていても良い。
【００９５】
スライド可能な棚３４１０は、ロック特徴３５２５が駆動された時にトラック３４１６を介して平行移動する。理解されることができるように、スライド可能な棚３４１０を平行移動するには、ドア３４２４は開かれる必要があり、実施形態では、描かれたように、ドアは９０度まで開き得る。理解されることができるように、レール３４４５はまた、ボックス棚３４０５のトップ３４２０上に載置されることができる。
【００９６】
適切なところで、図１−３３に対して上述したような詳細が、図３４−５９に描かれた実施形態にも組み込まれ得ることに注意すべきである。よって、望ましいおよび／または都合が良いところで、上記の詳細が組み込まれても良い。
【００９７】
図３７ａ―３７ｂは、ロックまたはブロック位置および開きまたは非ブロック位置におけるロック特徴３５２５を示す。実施形態では、リップ３５４７における開きは、ロック特徴３５２５をロック位置から開き位置まで平行移動すべく鍵が挿入されることを許容する。よって、今は理解されることができるように、ロック特徴３５２５は、多数の図中においてブロック位置と開き位置の両方で示されている。
【００９８】
図３８に描かれたように、１つ以上のボックス棚３４０５がお互いの上に載置されても良い。そのような構成では、経路３８１０が、ロック特徴３５２５を駆動するための鍵（図示せず）の挿入を許容することができる。
【００９９】
図３９から理解されることができるように、ドア３４２４は、サポート３９２５に旋回的に載置されることができる。更には、ハットチャンネル３９１５が、ボックス棚３４０５の追加の強度および剛性のために設けられることができる。ハットチャンネル３９１５はまた、ロック特徴３５２５および／または１つ以上のトラック３４１６をサポートするのに使われても良い。描かれたように、２つの棚サポート３４３０（時々ブラケットと呼ばれる）が、後部パネル３９４０に載置され、たとえ垂直サポートの位置がいくらかの程度の許容スタックアップを含んでいたとしても、ボックス棚が垂直サポートに載置されることを許容すべく、スロットを含む。棚サポート３４３０は、棚載せ構造の１つ以上の垂直レール（図示せず）に接続されることができる。
【０１００】
図４０−４７は、ボックス棚の描かれた実施形態の追加の詳細を描く。ボックス棚は、粉末塗膜された１８ゲージ鋼鉄または何らかのその他の適切な材料のような既知の材料から構築され得ることに注意すべきである。図４８は、サポート表面３４１２の実施形態を描き、断面Ｊ−ＪおよびＰ−Ｐへの参照を含む。図４９−５１から理解されることができるように、リップ３５４７は、棚の中央にある（またはいくつかのその他の位置ではロック特徴３５２５と揃えられた）ブロッキングリップ４９１０を含むことができるが、ブロッキングリップはその他の位置では要求されなくても良い、よってサポート表面３４１２を作るのに使われる材料の量の削減を許容する（が要求はしない）。
【０１０１】
図５２−５４は、ロック特徴３５２５の一実施形態の詳細を描く。図５２は、部分的分解部においてと設置位置においての両方で蝶番プレート５２１５を示す。描かれたように、蝶番プレート５２１５は、ナット５２４０と結合する留め具５２３０によって蝶番ベースプレート５２２５に載置される。バイアスエレメント５２３５が、蝶番プレート５２１５を第１のまたはロック位置に向かって向ける。よって、蝶番プレート５２１５ａはロック位置にあり、蝶番プレート５２１５ｂは開き位置にある。理解されることができるように、但し、蝶番プレート５２１５を蝶番ベースプレート５２３５に載置する多数のその他の方法が可能である。
【０１０２】
図５４−５９は、ロック特徴３５２５、棚サポート３４３０およびボックス棚３４０５のその他の潜在的なエレメンツの実施形態に関する追加の詳細を描く。加えて、図５９は、そこから図４６が取られているところの断面Ｈ−Ｈを描く。寸法的な言及は単なる例示に過ぎず、そうではないと記されない限り本発明へのいかなる限定をも反映することは意図されていないことに注意すべきである。
【０１０３】
図６０−７３は、発明の別の側面、即ち商品の販売を向上する低プロファイルの棚システムを描く。低プロファイルの棚システムは、より大きな商品を収容するように棚の間により多くの間隔を作り出すことによって商品販売を向上する。いくつかの店舗では、大きな商品セクションがあり、そこではそのようなシステムを追加するための棚の十分な高さ（即ち、間隔）がないので、上述したもののような商品管理システムが使用するのに最も理想的なシステムではない。それらの場合には、商品が棚の間であまりにもぎゅうぎゅうにして販売されているので、上述したもののような商品管理システムを追加することは、商品を上昇させてそれがその上の棚と干渉し得るようになる。時には、小売り業者は、商品管理システムを組み込むために棚を調節することに乗り気ではないが、何故ならそのような棚調節は典型的には固定されたインクリメント（例えば、１インチのインクリメント）でなされなければならず、棚をそのようなインクリメントで動かすことは時々最上棚のような棚の望ましくない除去に繋がるからである。
【０１０４】
図６０−７３に描かれたように、発明は、低プロファイルの棚サポート６００を使うことによってこの問題を解決する。各低プロファイルの棚サポート６００は、背部部分６０２と前部部分６０４を規定しても良い。背部部分６０２は、そこに取り付けられた留めプレート６０６を含んでも良く（図７２）、各留めプレート６０６はスロット付き直立部（図示せず）中に挿入されることができる少なくとも１つのフック形成体６１０を有する。留めプレート６０６は、留め具６２３の使用を通して棚サポートにしっかり留められても良い。代替的に、背部部分６０２は、少なくとも１つのフック形成体６１０を形成しても良い（図６０）。図６０に示されるように、棚サポート６００の背部部分６０２は、前部部分の厚さよりも実質的に大きい厚さを有していても良く、前部部分６０４が棚サポート６００の背部部分よりも顕著に低いプロファイルを有することに結果としてなる。前部部分のこの削減されたプロファイルは、より大きな商品を収容するための商品棚の間のより大きな間隙および／またはここに記載された商品管理システムの設置に結果としてなる。一実施形態では、背部部分６０２の厚さは前部部分６０４の厚さよりも７５％大きくても良い。望ましい低プロファイルの棚サポート構成を作り出すために、前部および背部部分のその他の厚さが可能である。
【０１０５】
図６１および７３を参照すると、棚サポート６００は、棚６１４の下に配置されてしっかり取り付けられても良い。プッシャーシステム６１６が、棚６１４に載置されても良い。プッシャーシステムは、プッシャートラック６１８とプッシャー６２０を含んでいても良い。ここに記載されたプッシャーシステムのいずれかが、低プロファイルの棚サポート６００と共に使われても良い。加えて、商品デバイダー６２５が、ここに記載されたように、棚６１４に載置されるかまたはプッシャーシステム６１６の一部とされても良い。
【０１０６】
図６０、６３および６４を参照すると、旋回可能なバリアー６４０と前方商品留置き壁６４２が、前部レール６４４に載置されても良く、それは棚６１４の前部に載置されても良い。前部レール６４４は、１つ以上の留置き壁６４２または販売されている商品を識別する標識を受けるための１つ以上のチャンネル６４５を含んでいても良い。前部レール６４４はまた、スライド可能かまたは非スライド可能なやり方のどちらかでプッシャーシステム６１０を受けるように構成されていても良い。バリアー６４０は、ここに記載されたバリアーと同様に構成されていても良い。同様に、留置き壁６４２は、やはりここに記載された留置き壁と同様に構成されていても良い。
【０１０７】
図６２−６５を参照すると、警報デバイス６５０が、背部部分６０２においてかまたはその近くで棚６１４に載置されても良い。警報デバイス１４２と同様に、警報デバイス６５０は、上で描かれたように、いつ旋回可能なバリアー６４０が動かされたかまたは開かれたかを検出し、適切な警報信号を送るのに使われても良い。この実施形態では、警報デバイス６５０は、旋回可能なバリアー６４０と動作的に接触するリンケージ６５４によって起動されるスイッチ６５２を含んでいても良い（図６４）。リンケージ６５４は、金属またはプラスチックのロッドかまたは好適な材料の平坦なストックであっても良い。この実施形態では、バリアー６４０は、図６４に示されるように、前部レール６４４に載置可能なカム形状の端部６４１を含んでいても良く、カム形状の端部６４１は、バリアー６４０が旋回する時に接触してリンケージ６５４の動きを引き起こすように構成されている。リンケージ６５４はその一方で、望ましい警報信号を送るかまたは放出する警報デバイス６５０を起動するために（図６５に示されるように）警報デバイス６５０のスイッチ６５２に接触しても良い。リンケージカバー６６２が、リンケージ６５４をカバーして保護するためにリンケージ６５４の上に載置されても良い。
【０１０８】
図６６−６９を参照すると、安全ボックス棚６７０が、低プロファイルの棚サポート６００に（または垂直直立部に）プッシャーシステム６１０の上でしっかり取り付けられても良い。ボックス棚６７０は、上述したような盗難防止の恩恵を提供する完全なユニットとして提供されても良く、サポート棚の必要を排除すべく自己充足的となるように構成されても良い。ボックス棚６７０は、商品がボックス棚６７０中に見られることを許容するために透き通った材料で作られ得るトップ６７２を含んでいても良い。ボックス棚６７０はまた、ボックス棚６７０を形成するように一緒に連結され得る２つのサイド６７４と背面壁６７６を含んでいても良い。前部安全レール６７８が、トップ６７２に載置されても良い（図６９に示されるように）。安全レール６７８はまた、旋回可能なバリアー６４０を受けるように構成されていても良い。バリアー６４０は、上述したバリアーと同様であっても良く、ボックス棚６７０内で販売される商品へのアクセスを許容するために開かれても良い。警報デバイスがまた、バリアー６４０に動作的に結合されていても良い。
【０１０９】
図７０−７１を参照すると、オプションの標識６９０が、低プロファイルの棚サポート６００によってサポートされた棚６１４に載置されても良い。１つ以上の標識サポート６９２が、標識６９０をサポートするのに使われても良い。サポートは、標識６９０の追加された安定性のために、１つ以上の水平載置プラケット６９４に載置されても良い。
【０１１０】
図７２−７３を参照すると、棚のサイズと構成に応じて、複数の低プロファイルの棚サポート６００が棚６１４の下に配置されても良いことが理解されるべきである。複数のプッシャーシステム６１６およびデバイダー６２５が、棚上の商品の複数の列を販売するために棚６１４上に配置されても良いことが更に理解されるべきである。
【０１１１】
図７９−９１は、発明の別の側面、即ち商品販売システム８１０を描く。その他の実施形態と同様に、商品販売システム８１０は、商品が商品販売棚の前部エッジに向けて押されることができるレートを遅くすることのような様々な方法を使うことによって、例えば商品販売棚から商品が取り出される数と頻度を制限することにより、商品販売を向上する。
【０１１２】
図７９−８４を参照すると、例示的実施形態では、商品販売システム８１０はベース８１２を含む。ベース８１２は、店舗で使われるあらゆる既知の棚やあらゆるその他の商品販売システム８１０と、あらゆる既知の載置構成および向きで、係合するかまたはその上に載置されるように構成されても良い、全体的に平坦な面状表面を規定する。ベース８１２は、前部エッジ８２６と、背部エッジ８２８と、第１の側部エッジ８２０と、第２の側部エッジ８２２と、１つ以上のトラック８１４を規定する。更に描かれているように、ハウジング８５０が、あらゆる既知の載置構成および向きでベース８１２に載置されることができる。ハウジング８５０は、上部壁８５２３と、第１の側部壁８５４と、第２の側部壁８５６と、前方留置き壁８７６を規定する。第１および第２の側部壁８５４と８５６はそれぞれ、１つより多くの商品販売システム８１０が棚の上で別の同様の商品販売システム８１０に隣接して置かれるかまたは別の同様の商品販売システム８１０の上に積み上げられた時に、各それぞれの商品販売システム８１０のベース８１２上に載っている商品が分離されたかまたは分割されたままとなるように、使われることができる。実施形態では、２つの商品販売システムの間の分離棚の必要無しに、１つの商品販売システム８１０が別の商品販売システム８１０の上に積み上げられることができる。
【０１１３】
例示的実施形態では、前方留置き壁８７６が、ベース８１２に対して角度（例えば、約４５°の角度）を付けて載置され、第２の側部エッジ８２２から第１の側部エッジ８２０まで前部エッジ８２６に向けて伸長する。いくつかを挙げると約１５°、３０°、６０°、７５°の角度を含んだ、約４５°とは別の角度が可能である。前方留置き壁８７６は、ベース８１２の近傍に位置するチャンネル８８８を規定することができる。チャンネル８８８は更に、戻止め８８６を規定することができる。前方留置き壁８７６と第１の側部壁８５４は、以下で説明されるように、それを通して商品が顧客または従業員によって取り出されることができる開口部８７８を規定する。実施形態では、前方留置き壁８７６は、第２の側部エッジ８２２から第１の側部エッジ８２０まで完全に伸長しない。レバー８８０が、商品を開口部８７８を通して排出するために商品販売システム８１０に動作的に結合されることができる。例示的実施形態では、レバー８８０は、チャンネル８８８内にスライド可能に載置される。レバー８８０は、商品を動かすように適応されたレバーバイアスエレメント８８２とレバーフック８８４を含むことができる。描かれたように、レバーバイアスエレメント８８２は、レバーフック８８４と戻り止め８８６の間に配置されたコイルばねであることができる。１つ以上のトラック８１４が、背部エッジ８２８から前方留置き壁８７６までベース８１２に沿って伸長する。示されたように、トラック８１４はプッシャー８１６と共に使われることができる。特定の応用に応じて、２つより多いかまたは少ないトラックが発明と共に使われることができることが理解されるべきである。ベース８１２は更に、以下で説明されるようにラック９８６と共に使われるためのラック開口９８８を規定する。
【０１１４】
図８８および８９を参照すると、例示的実施形態では、１つ以上のトラック８１４が、ベース８１２の長さに沿って縦方向に伸長し、ベース８１２中の少なくとも１つのレール８３０と細長い開口またはチャンネル８３２を規定する。開口８３２とレール８３０は、プッシャー８１６の嵌め合いエレメントを受けて載置するようなサイズと形状になっている。プッシャー８１６は、プシャー８１６がトラック８１４から持ち上がらないようにベース８１２にスライド可能に載置されている。本発明は、プッシャー８１６をベース８１２に載置するためのレールと開口のその他の形状の使用を想定している。その他のプッシャー載置技術が発明と共に可能である。
【０１１５】
プッシャー８１６はまた、プッシャー８１６を棚の前部に向けて促すのに使われる少なくとも１つのプッシャー促しエレメント８６０を含んでいる。プッシャー促しエレメント８６０は、限定すること無しに、平坦なコイルばねを含んだ、あらゆるバイアスエレメントであっても良い。本発明は、望ましい応用に応じて、プッシャー８１６を促すための１つ以上のプッシャー促しエレメント８６０を使っても良い。プッシャー促しエレメント８６０は、あらゆる既知の載置技術を使ってプッシャー８１６とベース８１２に載置されても良い。例示的実施形態では、プッシャー促しエレメント８６０の一端部は、ベース８１２の前部エッジ８２６近くでベース８１２にしっかり取り付けられ、プッシャー促しエレメント８６０の反対に端部は、プッシャー８１６を棚の前部に向けて促すようにプッシャー８１６の背後に配置される。更に、プッシャー８１６は、角度付きプッシャー面８９２を含む。例示的実施形態では、角度付きプッシャー面８９２は、ベース８１２に対するその角度が前方留置き壁８７６の角度に対応するように配置される。但し、角度付きプッシャー面８９２は、その他の角度で配置されることができ、様々な寸法と形状を有することができることが理解されるべきである。
【０１１６】
図８５および８６の発明の実施携帯を参照すると、プッシャー８１６は、商品を前方留置き壁８７６に向けて促す。商品が前方留置き壁８７６とプッシャー８１６の間に配置されている時、開口部８７８は２つの商品の幅よりも少ない寸法に等しいので、単一の商品のみが顧客または従業員によってアクセスされることができる。実施形態では、開口部８７８は、単一の商品の幅よりも約５０％より多くなく広い。別の実施形態では、開口部８７８は、大よそ単一の商品の幅であるが、それでも単一の商品が開口部８７８を通過することを許容するのに十分に広い。開口部８７８の配置および寸法は、プッシャー８１６が前方留置き壁８７６に対して商品にかける正の圧力との組み合わせで、指（即ち、フィンガー）または指の力だけを使って商品を取り出す顧客または従業員の能力を妨げる。単一の商品の取り出しを容易にするために、商品が前方留置き壁８７６とプッシャー８１６の間に配置された時、レバー８８０がスライド可能に平行移動されることができるようにレバー８８０に力が印加されることができる。レバー８８０がスライド可能に平行移動されるにつれて、レバーフック８８４が最も前方に配置された商品と係合する。顧客または従業員がレバー８８０を完全に伸長した位置までスライド可能に平行移動させる時、単一の商品は、ハウジング８５０から部分的に排出され、顧客または従業員によって容易に取り出されることができる。更に、レバー８８０が完全に伸長した位置にある時、レバーバイアスエレメント８８２は、レバーフック８８４と戻止め８８６の間で圧縮される。従って、顧客または従業員がレバー８８０に力を印加するのを停止した時、レバーバイアスエレメント８８２は、レバー８８０をその元の位置までバイアスして戻す。
【０１１７】
以下で記載する実施形態では、顧客または従業員が彼らに入手可能な商品に届いて引き出した時、プッシャー８１６はプッシャー促しエレメント８６０によって前方留置き壁８７６に向けてゆっくりと促され、予め決められた期間の後、商品が開口部８７８に隣接するように、単一の商品が再度プッシャー８１６と前方留置き壁８７６の間で正の圧力をかけられる。商品は角度付きプッシャー面８９２に対応する角度で配置されており、よってもし顧客または従業員が商品を前方に傾けようと試みると、商品は第２の側部壁８５６によって止まっている位置にバイアスされるので、最初の商品が取り出された後に次の商品を前方に取り出すかまたは促そうとする顧客または従業員による試みは妨げられる。プッシャーが動く速度は、限定すること無く、以下で説明される弱勢されたギアアッセンブリーを含んだ、様々なデバイスによって制御されることができる。商品を前方に遅いレートの速度で促す商品販売システムを提供することによって、顧客または従業員は、一度に１つより多くの商品を取り出すことを禁止されることができ、予め決められた量の時間毎に一度だけ商品を取り出すことを補助される。
【０１１８】
発明の実施形態では、プッシャー８１６についての望ましい遅いレートの速度を提供するために、例示的な弱勢されたギアアッセンブリー９８０が、プッシャー８１６に載置されても良い。弱勢されたギアアッセンブリー９８０は、ギア９８２と、当該技術で既知のあらゆる弱勢流体で満たされることができるギアハウジング９８４を含んでいても良い。ギア９８２の一部は、ギアハウジング９８４内に収容される。ラック９８６が、ラック開口９８８に載置されることができる。ラック９８６は、複数の歯９９０を規定する。ギアアッセンブリー９８０のギア９８２は、ラック９８６の複数の歯９９０と係合するように適応されている。動作では、商品がベース８１２から取り出され、プッシャー８１６がプッシャー促しエレメント８６０によって前方に促された時、ギアアッセンブリー９８０は、プッシャー８１６が前方に促されるレートを遅くするように働く。これは、ギアハウジング９８４内のギア９８２の動きに抵抗するように働くギアハウジング９８４中に位置する弱勢流体によってギア９８２の回転が規制されるために、達成されることができる。再度、その他の弱勢技術が、棚の前部に向けたプッシャーの動きの望ましい遅いレートに影響を与えるために、本発明と共に使われても良い。
【０１１９】
実施形態では、前方留置き壁８７６は、商品が前方留置き壁８７６を通して視認されることを許容する、透き通ったかまたは透明な材料で作られる。実施形態では、前方留置き壁８７６は、広告またはマーケティング材料が前方留置き壁８７６上に置かれることを可能とする。ベース８１２はまた、広告またはマーケティング材料や、商品価格情報のような商品情報のためのディスプレイエリア９９９（図７９参照）を含むことができる。ディスプレイエリア９９９が商品情報を含むことができるので、商品販売システム８１０は、上述したように、棚の使用無しで別の同様の商品販売システム８１０の上に積み上げられることができる。
【０１２０】
実施形態では、ロックデバイス（図示せず）が、商品の取り出しを防止するのに使われることができる。そのようなロックデバイスは、回転可能なバリアー、ドア、またはロッククリップを含んでも良い。ロックデバイスは、例えば、商品販売システム８１０が使用中でない時に、従業員も顧客も商品にアクセスできないように、商品が開口部８７８を通してフィットすることを防止することができる。
【０１２１】
商品販売システム８１０は、第１の側部壁８５４と第２の側部壁８５６が反転され、よって開口部８７８が反対側上にあるように、変更されることができるということが理解されるべきである。当業者によって理解されることができるように、この実施形態では、なかんずく角度付きプッシャー面８９２、前方留置き壁８７６およびレバー８８０もまた反転される。
【０１２２】
図９０および９１を参照すると、別の実施形態では、ハウジング９５０は、上部壁９５２と、第１の側部壁９５４と、対向する第２の側部壁を規定する。ベース８１２の前部エッジは、あらゆる既知のやり方でレール９２４にかまたはその上に載置されるように構成されている。上述したように、ベース８１２は、ラックとラック開口を含んでいても良く、ここでラックは複数の歯９９０を規定して（図９０および９１に示されるように）ギアアッセンブリーのギアが複数の歯９９０と係合するように適応されることができるようになっている。レール９２４は、レールに向けて押された商品を留め置くための前方留置き壁９７６を含む。前方留置き壁９７６とハウジング９５０は、単一の商品の幅と大よそ等しい開口部９７８を規定する。プッシャー９１６が、商品をレール９２４に向けて促す。１つの商品販売システム８１０が棚の上で別の同様の商品販売システム８１０に隣接して置かれた時、商品は、開口部９７８の上部部分９７９を通してのみ取り出されることができる。従って、商品が前方留置き壁９７６とプッシャー９１６の間に配置された時、単一の商品のみが顧客または従業員によってアクセスされることができる。顧客または従業員が開口部９７８の上部部分９７９を通して商品を部分的にかまたは完全に排出することを容易にするために、レバートリガー（図示せず）のようなデバイスが使われても良いことが、更に理解されるであろう。
【０１２３】
図９２−９５を参照すると、弱勢されたプッシャー１０１６特徴を含んだ、上述した特徴を含む商品安全確保システム１０１０の代替的実施形態が開示されている。図９２は、商品無しの商品安全確保システムの斜視図を描く一方、図９３は商品有りの商品安全確保システムの斜視図を描く。商品安全確保システム１０１０は、一度に単一の商品の取り出しのために、システム１０１０の前部壁１０７６中に下部開口部１９２９を含む。下部開口部１０２０は、システム１０１０の前部壁１０７６の下部エッジの近くに位置していても良い。下部開口部１０２０は、単一の商品を収容するような幅と長さについてのサイズとなっていても良い。例えば、下部開口部１０２０の幅は、単一の商品の幅と同様であっても良く、下部開口部１０２０の長さは、単一の商品の長さと同様であっても良い。開示のその他の側面では、下部開口部１０２０の幅は、単一の商品の幅の１１０％と同等であっても良く、下部開口部１０２０の長さは、単一の商品の長さの１１０％と同等であっても良い。下部開口部１０２０の幅と長さは、商品の幅と長さの１００％−２００％と同等であっても良い。
【０１２４】
加えて、レバー１０２２が、図９２−９５に描かれたように商品安全確保システム１０１０に含まれていても良い。レバー１０２２は、下部開口部１０２０と前部壁１０７６に隣接してシステム１０１０の前部において位置していても良い。レバー１０２２は、商品がそれから下部開口部１０２０を通してスライドするように、商品を上に前方留置き壁１０３０を越えて持ち上げるように動作しても良い。例えば、レバー１０２２がユーザによって操作されたか持ち上げられた時、レバーは、下部開口部１０２０を通してスライドするように商品を前方留置き壁１０３０を越えて持ち上げる。レバー１０２２は、システムの前部壁１０７６中の下部開口部１０２０を通してより容易にスライドすることを商品に許容する、傾斜表面１０２４を提供するように構成されていても良い。更に、レバー１０２２は、商品がより容易にレバー１０２２の傾斜表面１０２４まで前方留置き壁１０３０を下り下部開口部１０２０まで通ってスライドするように、前方留置き壁１０３０と一致していても良い。加えて、システム１０１０の前部壁１０７６は、それは前部壁１０７６中の下部開口部１０２０を通過した後に商品と掴むことを助けるために、指孔１０７８を含んでいても良い。前部壁１０７６は、彎曲していて、商品情報または広告を表示するための場所１０８０を規定しても良い。
【０１２５】
図９４Ａから９４Ｃは、下部開口部１０２０とレバー１０２２をもった上述したようなシステム１０１０の動作を描く。図９４Ａは、動作の前の商品安全確保システム１０１０を描く。図９４Ａに描かれたように、プッシャー１０１６が、商品安全確保システム１０１０中の前方留置き壁１０３０に向けて商品を押してそれに対して圧力を印加しても良い。レバー１０２２は、この時点では、動作せず動いていない。図９４Ｂに描かれたように、レバー１０２２が持ち上げられる。レバー１０２２が持ち上げられた時、レバー１０２２は、商品が前方留置き壁１０３０をクリアするように十分に高いレベルまで商品を持ち上げるように構成されている。プッシャー１０１６からの圧力のために、一旦商品が前方留置き壁１０３０を越える高さまで持ち上げられると、商品はシステム１０１０の前部壁１０７６と下部開口部１０２０に向かって前方に動く。図９４Ｃに描かれたように、商品は下部開口部１０２からスライドして出る。レバーは、商品がシステム１０１０の前部壁１０７６中の下部開口部１０２０を通してより容易にスライドすることを許容し補助する、傾斜表面を提供するように構成されていても良い。加えて、図９２および９３に描かれたように、前部壁は、それが前部壁１０７６中の下部開口部１０２０を通過した後に商品を掴むことを助けるために、指孔１０７８を含んでいても良い。最後に、第１の商品がシステム１０１０の下部開口部１０２０からスライドして出た時に、第２の商品が、商品安全確保システム１０１０の前方留置き壁１０３０に対してプッシャー１０１６によって前方に押されて、第１の商品がそうだったのと同じやり方で下部開口部１０２０を通して解放されることに準備完了となる。
【０１２６】
図９２−９５に描かれたシステムは、積み上げ可能であっても良く、垂直直立部サポート１０４４に接続されていても良い。図９５に描かれたように、複数のシステム１０１０が、棚および管理ディスプレイシステム１０００を形成するように一緒に接続されても良い。図９５に描かれたように、多数の個別のシステムが、システム１０００のアレイを作り出すようにお互いと隣り合っておよびお互いの上に配置されても良い。図９２、９３および９５に描かれたように、システム１０１０は、垂直直立部サポート１０４４中にロックするように構成され得るタブ１０４０を含んでいても良い。当該技術で知られて使われているあらゆるロックタブシステムが、このシステムのために利用されても良い。加えて、システム１０１０は、システムの上に１つ以上のスナップブロック１０４２を含んでいても良い。それらのスナップブロック１０４２は、システムを積み上げる時に第２のシステムの下部中の対応する開口部または凹みと係合するように構成されていても良い。スナップブロック１０４２は、それらをお互いの上に積み上げる時にシステムの動きが殆ど無いか全く無いことを補助して確かなものとすることを助ける。加えて、図９２−９５に描かれたシステムは、かみそり刃を含むパッケージングのような小さなパッケージングを有する商品を自動販売するのに使われても良い。
【０１２７】
前述したものの変形および変更は、本発明の範囲内である。ここに開示され規定された発明は、個別の特徴と言及されたかテキストおよび／または図面から明らかである個別の特徴の２つ以上の全ての代替的な組み合わせまで広がることが理解されるべきである。それらの異なる組み合わせの全ては、本発明の様々な代替的な側面を構成する。ここに記載された実施形態は、発明を実施するための知られているベストモードを説明しており、発明を利用することを当業者に可能とするであろう。
【図１】
2013533057.tif 000003
【図２】
2013533057.tif 000004
【図３】
2013533057.tif 000005
【図４】
2013533057.tif 000006
【図５】
2013533057.tif 000007
【図６】
2013533057.tif 000008
【図７】
2013533057.tif 000009
【図８】
2013533057.tif 000010
【図９】
2013533057.tif 000011
【図１０】
2013533057.tif 000012
【図１１】
2013533057.tif 000013
【図１２】
2013533057.tif 000014
【図１３】
2013533057.tif 000015
【図１４】
2013533057.tif 000016
【図１５】
2013533057.tif 000017
【図１６】
2013533057.tif 000018
【図１７】
2013533057.tif 000019
【図１８】
2013533057.tif 000020
【図１９】
2013533057.tif 000021
【図２０】
2013533057.tif 000022
【図２１】
2013533057.tif 000023
【図２２】
2013533057.tif 000024
【図２３】
2013533057.tif 000025
【図２４】
2013533057.tif 000026
【図２５】
2013533057.tif 000027
【図２６】
2013533057.tif 000028
【図２７】
2013533057.tif 000029
【図２８】
2013533057.tif 000030
【図２９】
2013533057.tif 000031
【図３０】
2013533057.tif 000032
【図３１】
2013533057.tif 000033
【図３２】
2013533057.tif 000034
【図３３】
2013533057.tif 000035
【図３４】
2013533057.tif 000036
【図３５】
2013533057.tif 000037
【図３６】
2013533057.tif 000038
【図３７ａ−３７ｂ】
2013533057.tif 000039
【図３８】
2013533057.tif 000040
【図３９】
2013533057.tif 000041
【図４０】
2013533057.tif 000042
【図４１】
2013533057.tif 000043
【図４２】
2013533057.tif 000044
【図４３】
2013533057.tif 000045
【図４４】
2013533057.tif 000046
【図４５】
2013533057.tif 000047
【図４６】
2013533057.tif 000048
【図４７】
2013533057.tif 000049
【図４８】
2013533057.tif 000050
【図４９】
2013533057.tif 000051
【図５０】
2013533057.tif 000052
【図５１】
2013533057.tif 000053
【図５２】
2013533057.tif 000054
【図５３】
2013533057.tif 000055
【図５４】
2013533057.tif 000056
【図５５】
2013533057.tif 000057
【図５６】
2013533057.tif 000058
【図５７】
2013533057.tif 000059
【図５８】
2013533057.tif 000060
【図５９】
2013533057.tif 000061
【図６０】
2013533057.tif 000062
【図６１】
2013533057.tif 000063
【図６２】
2013533057.tif 000064
【図６３】
2013533057.tif 000065
【図６４】
2013533057.tif 000066
【図６５】
2013533057.tif 000067
【図６６】
2013533057.tif 000068
【図６７】
2013533057.tif 000069
【図６８】
2013533057.tif 000070
【図６９】
2013533057.tif 000071
【図７０】
2013533057.tif 000072
【図７１】
2013533057.tif 000073
【図７２】
2013533057.tif 000074
【図７３】
2013533057.tif 000075
【図７４】
2013533057.tif 000076
【図７５】
2013533057.tif 000077
【図７６】
2013533057.tif 000078
【図７７】
2013533057.tif 000079
【図７８】
2013533057.tif 000080
【図７９】
2013533057.tif 000081
【図８０】
2013533057.tif 000082
【図８１】
2013533057.tif 000083
【図８２】
2013533057.tif 000084
【図８３】
2013533057.tif 000085
【図８４】
2013533057.tif 000086
【図８５】
2013533057.tif 000087
【図８６】
2013533057.tif 000088
【図８７】
2013533057.tif 000089
【図８８】
2013533057.tif 000090
【図８９】
2013533057.tif 000091
【図９０】
2013533057.tif 000092
【図９１】
2013533057.tif 000093
【図９２】
2013533057.tif 000094
【図９３】
2013533057.tif 000095
【図９４Ａ】
2013533057.tif 000096
【図９４Ｂ】
2013533057.tif 000097
【図９４Ｃ】
2013533057.tif 000098
【図９５】
2013533057.tif 000099
【国際調査報告】
2013533057.tif 000100
2013533057.tif 000101
2013533057.tif 000102